(57)【要約】【課題】バッテリーポストに作用する荷重を抑制することができるヒューズユニットを提供することを目的とする。【解決手段】ヒューズユニット１は、バッテリー端子１１０と接続され過電流が流れたときに可溶体が溶断するヒュージブルリンク２と、バッテリー筐体１０１のポスト立設面１０５に設けられたバッテリーポスト１０２に前記バッテリー端子１１０が締結された状態で前記ポスト立設面１０５と前記バッテリー端子１１０との間に介在するベース部３１と、前記ベース部３１と連接され前記ヒュージブルリンク２を前記ポスト立設面１０５に保持する保持部３２とを有する保持機構３と、前記保持機構３を前記ポスト立設面１０５上に係止する係止機構４とを備えることを特徴とする。【選択図】図１
2016131097.tif 000002
【特許請求の範囲】
【請求項１】
バッテリー端子と接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、
前記保持機構を前記ポスト立設面上に係止する係止機構とを備えることを特徴とする、
ヒューズユニット。
【請求項２】
前記保持機構は、前記ベース部において、前記バッテリー端子を前記バッテリーポストに締結可能な位置に装着する装着部を有する、
請求項１に記載のヒューズユニット。
【請求項３】
前記係止機構は、前記バッテリー筐体と係合することで前記保持機構を前記ポスト立設面上に係止する係止爪部を含んで構成される、
請求項１又は請求項２に記載のヒューズユニット。
【請求項４】
前記係止爪部は、複数設けられ、前記バッテリー筐体の複数の面に係合する、
請求項３に記載のヒューズユニット。
【請求項５】
前記係止爪部によって前記保持機構を前記ポスト立設面上に係止する係止力を調節可能である係止力調節機構を備える、
請求項３又は請求項４に記載のヒューズユニット。
【請求項６】
前記係止爪部は、前記保持機構とは別体に形成され、当該保持機構に、前記バッテリー筐体に対して接近、離間自在に支持され、
前記係止力調節機構は、前記保持機構側又は前記係止爪部側の一方に形成された第１段差と、前記保持機構側又は前記係止爪部側の他方に前記接近、離間する方向に沿って並んで形成された複数の第２段差とを有し、前記第１段差と前記複数の第２段差のいずれかとが噛み合うことで、前記係止爪部の、前記バッテリー筐体から離間する側への移動を規制し、前記係止力を相対的に大きくする、
請求項５に記載のヒューズユニット。
【請求項７】
前記係止爪部は、前記保持機構とは別体に形成され、当該保持機構に、前記バッテリー筐体に対して接近、離間自在に支持され、
前記係止力調節機構は、前記バッテリー筐体側又は前記係止爪部側の一方に形成された第１段差と、前記バッテリー筐体側又は前記係止爪部側の他方に前記接近、離間する方向に沿って並んで形成された複数の第２段差とを有し、前記第１段差と前記複数の第２段差のいずれかとが噛み合うことで、前記係止爪部の、前記バッテリー筐体から離間する側への移動を規制し、前記係止力を相対的に大きくする、
請求項５に記載のヒューズユニット。
【請求項８】
前記係止爪部は、前記保持機構と一体で形成され、
前記係止力調節機構は、前記保持機構、又は、当該保持機構と一体の部材と前記バッテリー筐体との間に介在する楔部材を有し、前記楔部材が、前記保持機構、又は、当該保持機構と一体の部材と前記バッテリー筐体との間に介在することで前記係止力を相対的に大きくする、
請求項５に記載のヒューズユニット。
【請求項９】
前記係止爪部は、前記保持機構と一体で形成され、
前記係止力調節機構は、前記保持機構に螺合すると共に、螺合動作に伴って先端が前記バッテリー筐体と当接し前記保持機構が前記バッテリー筐体から離間する方向に当該バッテリー筐体を押圧する螺合部材を有し、前記螺合部材によって前記保持機構が前記バッテリー筐体から離間する方向に当該バッテリー筐体を押圧することで、前記係止力を相対的に大きくする、
請求項５に記載のヒューズユニット。
【請求項１０】
前記係止爪部は、前記保持機構とは別体に形成され、
前記係止力調節機構は、前記保持機構と前記係止爪部とを連結すると共に軸周りの回転に伴って前記保持機構と前記係止爪部との間隔を可変とする連結部材を有し、前記連結部材が前記保持機構と前記係止爪部との間隔を相対的に狭くすることで、前記係止力を相対的に大きくする、
請求項５に記載のヒューズユニット。
【請求項１１】
前記係止爪部は、前記保持機構とは別体に形成され、
前記係止力調節機構は、前記係止爪部側に設けられた軸部に対して当該軸部周りに回転可能に連結されると共に、外面が前記保持機構と当接し、前記軸部周りの回転に伴って前記保持機構との当接位置から前記軸部までの距離が変化する扁平レバーを有し、前記扁平レバーの前記軸部周りの回転に伴って、前記当接位置から前記軸部までの距離を相対的に長くし前記係止爪部を前記保持機構側に接近させることで、前記係止力を相対的に大きくする、
請求項５に記載のヒューズユニット。
【請求項１２】
前記係止爪部は、前記保持機構と一体で形成される第１係止爪部と、前記保持機構とは別体に形成され前記バッテリー筐体において前記第１係止爪部が係合する面と対向する面に係合する第２係止爪部とを含んで構成され、
前記係止力調節機構は、前記第１係止爪部側又は前記第２係止爪部側の一方に形成された第１段差と、前記第１係止爪部側又は前記第２係止爪部側の他方に前記第１係止爪部と前記第２係止爪部とが対向する方向に沿って並んで形成された複数の第２段差とを有し、前記第１段差と前記複数の第２段差のいずれかとが噛み合うことで、前記第１係止爪部と前記第２係止爪部とが離間する側への移動を規制し、前記係止力を相対的に大きくする、
請求項５に記載のヒューズユニット。
【請求項１３】
前記係止機構は、前記バッテリー筐体以外の被連結部材と前記保持機構とを連結することで前記保持機構を前記ポスト立設面上に係止する連結体を含んで構成される、
請求項１に記載のヒューズユニット。
【請求項１４】
前記ポスト立設面又は前記保持機構の一方に設けられる凹部と、前記ポスト立設面又は前記保持機構の他方に設けられ前記凹部と嵌合する凸部とを有し、前記保持機構を前記ポスト立設面上に位置決めする保持機構位置決め機構を備える、
請求項１乃至請求項１３のいずれか１項に記載のヒューズユニット。
【発明の詳細な説明】
【技術分野】
【０００１】
本発明は、ヒューズユニットに関する。
【背景技術】
【０００２】
車両等に搭載される従来のヒューズユニットとして、例えば、特許文献１には、バッテリー端子に立設されたボルトに接続される電源側端子と、負荷端子に接続される負荷側端子と、電源側端子と負荷側端子に渡して設けられた可溶体とが平板状に一体形成された導体と、電源側端子と負荷側端子の他端子との接続部をそれぞれ露出させて導体を被覆してなる樹脂製のカバーを備えるヒューズユニットが開示されている。
【先行技術文献】
【特許文献】
【０００３】
【特許文献１】特開２０１３−０３７９４９号公報
【発明の概要】
【発明が解決しようとする課題】
【０００４】
ところで、上述の特許文献１に記載のヒューズユニットは、例えば、バッテリー端子に直付けされる構成となっているが、このようなバッテリー端子をバッテリーポストに締結する場合、当該バッテリーポストに作用する荷重抑制の点でさらなる改善の余地がある。
【０００５】
本発明は、上記の事情に鑑みてなされたものであって、バッテリーポストに作用する荷重を抑制することができるヒューズユニットを提供することを目的とする。
【課題を解決するための手段】
【０００６】
上記目的を達成するために、本発明に係るヒューズユニットは、バッテリー端子と接続され過電流が流れたときに可溶体が溶断するヒュージブルリンクと、バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、前記保持機構を前記ポスト立設面上に係止する係止機構とを備えることを特徴とする。
【０００７】
また、上記ヒューズユニットでは、前記保持機構は、前記ベース部において、前記バッテリー端子を前記バッテリーポストに締結可能な位置に装着する装着部を有するものとすることができる。
【０００８】
また、上記ヒューズユニットでは、前記係止機構は、前記バッテリー筐体と係合することで前記保持機構を前記ポスト立設面上に係止する係止爪部を含んで構成されるものとすることができる。
【０００９】
また、上記ヒューズユニットでは、前記係止爪部は、複数設けられ、前記バッテリー筐体の複数の面に係合するものとすることができる。
【００１０】
また、上記ヒューズユニットでは、前記係止爪部によって前記保持機構を前記ポスト立設面上に係止する係止力を調節可能である係止力調節機構を備えるものとすることができる。
【００１１】
また、上記ヒューズユニットでは、前記係止爪部は、前記保持機構とは別体に形成され、当該保持機構に、前記バッテリー筐体に対して接近、離間自在に支持され、前記係止力調節機構は、前記保持機構側又は前記係止爪部側の一方に形成された第１段差と、前記保持機構側又は前記係止爪部側の他方に前記接近、離間する方向に沿って並んで形成された複数の第２段差とを有し、前記第１段差と前記複数の第２段差のいずれかとが噛み合うことで、前記係止爪部の、前記バッテリー筐体から離間する側への移動を規制し、前記係止力を相対的に大きくするものとすることができる。
【００１２】
また、上記ヒューズユニットでは、前記係止爪部は、前記保持機構とは別体に形成され、当該保持機構に、前記バッテリー筐体に対して接近、離間自在に支持され、前記係止力調節機構は、前記バッテリー筐体側又は前記係止爪部側の一方に形成された第１段差と、前記バッテリー筐体側又は前記係止爪部側の他方に前記接近、離間する方向に沿って並んで形成された複数の第２段差とを有し、前記第１段差と前記複数の第２段差のいずれかとが噛み合うことで、前記係止爪部の、前記バッテリー筐体から離間する側への移動を規制し、前記係止力を相対的に大きくするものとすることができる。
【００１３】
また、上記ヒューズユニットでは、前記係止爪部は、前記保持機構と一体で形成され、前記係止力調節機構は、前記保持機構、又は、当該保持機構と一体の部材と前記バッテリー筐体との間に介在する楔部材を有し、前記楔部材が、前記保持機構、又は、当該保持機構と一体の部材と前記バッテリー筐体との間に介在することで前記係止力を相対的に大きくするものとすることができる。
【００１４】
また、上記ヒューズユニットでは、前記係止爪部は、前記保持機構と一体で形成され、前記係止力調節機構は、前記保持機構に螺合すると共に、螺合動作に伴って先端が前記バッテリー筐体と当接し前記保持機構が前記バッテリー筐体から離間する方向に当該バッテリー筐体を押圧する螺合部材を有し、前記螺合部材によって前記保持機構が前記バッテリー筐体から離間する方向に当該バッテリー筐体を押圧することで、前記係止力を相対的に大きくするものとすることができる。
【００１５】
また、上記ヒューズユニットでは、前記係止爪部は、前記保持機構とは別体に形成され、前記係止力調節機構は、前記保持機構と前記係止爪部とを連結すると共に軸周りの回転に伴って前記保持機構と前記係止爪部との間隔を可変とする連結部材を有し、前記連結部材が前記保持機構と前記係止爪部との間隔を相対的に狭くすることで、前記係止力を相対的に大きくするものとすることができる。
【００１６】
また、上記ヒューズユニットでは、前記係止爪部は、前記保持機構とは別体に形成され、前記係止力調節機構は、前記係止爪部側に設けられた軸部に対して当該軸部周りに回転可能に連結されると共に、外面が前記保持機構と当接し、前記軸部周りの回転に伴って前記保持機構との当接位置から前記軸部までの距離が変化する扁平レバーを有し、前記扁平レバーの前記軸部周りの回転に伴って、前記当接位置から前記軸部までの距離を相対的に長くし前記係止爪部を前記保持機構側に接近させることで、前記係止力を相対的に大きくするものとすることができる。
【００１７】
また、上記ヒューズユニットでは、前記係止爪部は、前記保持機構と一体で形成される第１係止爪部と、前記保持機構とは別体に形成され前記バッテリー筐体において前記第１係止爪部が係合する面と対向する面に係合する第２係止爪部とを含んで構成され、前記係止力調節機構は、前記第１係止爪部側又は前記第２係止爪部側の一方に形成された第１段差と、前記第１係止爪部側又は前記第２係止爪部側の他方に前記第１係止爪部と前記第２係止爪部とが対向する方向に沿って並んで形成された複数の第２段差とを有し、前記第１段差と前記複数の第２段差のいずれかとが噛み合うことで、前記第１係止爪部と前記第２係止爪部とが離間する側への移動を規制し、前記係止力を相対的に大きくするものとすることができる。
【００１８】
また、上記ヒューズユニットでは、前記係止機構は、前記バッテリー筐体以外の被連結部材と前記保持機構とを連結することで前記保持機構を前記ポスト立設面上に係止する連結体を含んで構成されるものとすることができる。
【００１９】
また、上記ヒューズユニットでは、前記ポスト立設面又は前記保持機構の一方に設けられる凹部と、前記ポスト立設面又は前記保持機構の他方に設けられ前記凹部と嵌合する凸部とを有し、前記保持機構を前記ポスト立設面上に位置決めする保持機構位置決め機構を備えるものとすることができる。
【発明の効果】
【００２０】
本発明に係るヒューズユニットは、保持機構のベース部と連接された保持部によってヒュージブルリンクをバッテリー筐体のポスト立設面に保持し、当該ポスト立設面でヒュージブルリンクの荷重を受けることで、ヒューズユニットからバッテリー端子に作用する荷重を抑制することができるので、バッテリーポストに作用する荷重を抑制することができる、という効果を奏する。このとき、ヒューズユニットは、係止機構によって、プロテクタをヒュージブルリンクと共にポスト立設面上に確実に組み付けることができる、という効果を奏する。
【図面の簡単な説明】
【００２１】
【図１】図１は、実施形態１に係るヒューズユニットが適用されるバッテリーの概略構成を表す斜視図である。
【図２】図２は、実施形態１に係るヒューズユニットの概略構成を表す分解斜視図である。
【図３】図３は、実施形態１に係るヒューズユニットの概略構成を表す平面図である。
【図４】図４は、図３中のＡ１−Ａ１断面図である。
【図５】図５は、図３中のＢ１−Ｂ１断面図である。
【図６】図６は、図３中のＣ１−Ｃ１断面図である。
【図７】図７は、図３中のＤ１−Ｄ１断面図である。
【図８】図８は、実施形態２に係るヒューズユニットが適用されるバッテリーの概略構成を表す斜視図である。
【図９】図９は、実施形態２に係るヒューズユニットの概略構成を表す分解斜視図である。
【図１０】図１０は、実施形態２に係るヒューズユニットの概略構成を表す平面図である。
【図１１】図１１は、図１０中のＡ２−Ａ２断面図である。
【図１２】図１２は、図１０中のＢ２−Ｂ２断面図である。
【図１３】図１３は、図１０中のＣ２−Ｃ２断面図である。
【図１４】図１４は、図１０中のＤ２−Ｄ２断面図である。
【図１５】図１５は、実施形態３に係るヒューズユニットの係止力調節機構近傍の分解斜視図である。
【図１６】図１６は、実施形態３に係るヒューズユニットの係止力調節機構近傍の部分斜視図である。
【図１７】図１７は、実施形態３に係るヒューズユニットの係止爪部を含む長辺方向に沿った部分断面図である。
【図１８】図１８は、実施形態３に係るヒューズユニットの係止爪部を含む短辺方向に沿った部分断面図である。
【図１９】図１９は、図１７中の囲み線Ａ５内の拡大部分断面図である。
【図２０】図２０は、変形例に係るヒューズユニットの係止力調節機構近傍の分解斜視図である。
【図２１】図２１は、実施形態４に係るヒューズユニットの係止力調節機構近傍の分解斜視図である。
【図２２】図２２は、実施形態４に係るヒューズユニットの係止爪部を含む長辺方向に沿った部分断面図である。
【図２３】図２３は、図２２中の囲み線Ａ６内の拡大部分断面図である。
【図２４】図２４は、変形例に係るヒューズユニットの係止力調節機構近傍の分解斜視図である。
【図２５】図２５は、実施形態５に係るヒューズユニットの係止機構近傍の部分斜視図である。
【図２６】図２６は、実施形態５に係るヒューズユニットの係止機構近傍を短辺方向に視た部分側面図である。
【図２７】図２７は、実施形態５に係るヒューズユニットの係止機構近傍を長辺方向に視た部分側面図である。
【図２８】図２８は、変形例に係るヒューズユニットの係止機構近傍の部分斜視図である。
【図２９】図２９は、実施形態６に係るヒューズユニットの係止力調節機構近傍の分解斜視図である。
【図３０】図３０は、実施形態６に係るヒューズユニットの係止力調節機構近傍の部分斜視図である。
【図３１】図３１は、実施形態６に係るヒューズユニットの楔部材を含む部分断面図である。
【図３２】図３２は、実施形態７に係るヒューズユニットの係止力調節機構近傍の分解斜視図である。
【図３３】図３３は、実施形態７に係るヒューズユニットの係止力調節機構近傍の部分斜視図である。
【図３４】図３４は、実施形態７に係るヒューズユニットの楔部材を含む部分断面図である。
【図３５】図３５は、実施形態８に係るヒューズユニットの係止力調節機構近傍の分解斜視図である。
【図３６】図３６は、実施形態８に係るヒューズユニットの係止力調節機構近傍の部分斜視図である。
【図３７】図３７は、実施形態８に係るヒューズユニットの螺合部材を含む部分断面図である。
【図３８】図３８は、実施形態９に係るヒューズユニットの係止力調節機構近傍の部分斜視図である。
【図３９】図３９は、実施形態９に係るヒューズユニットの係止爪部を含む部分断面図である。
【図４０】図４０は、実施形態１０に係るヒューズユニットの係止力調節機構近傍の部分斜視図である。
【図４１】図４１は、実施形態１０に係るヒューズユニットの係止力調節機構近傍の部分側面図である。
【図４２】図４２は、実施形態１０に係るヒューズユニットの係止力調節機構近傍の部分斜視図である。
【図４３】図４３は、実施形態１０に係るヒューズユニットの係止力調節機構近傍の部分側面図である。
【図４４】図４４は、実施形態１１に係るヒューズユニットの係止力調節機構を含む部分平面図である。
【図４５】図４５は、実施形態１１に係るヒューズユニットの係止力調節機構を含む部分断面図である。
【図４６】図４６は、実施形態１２に係るヒューズユニットのプロテクタの斜視図である。
【図４７】図４７は、実施形態１２に係るヒューズユニットのプロテクタ位置決め機構を含む部分断面斜視図である。
【発明を実施するための形態】
【００２２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２３】
［実施形態１］
図１は、実施形態１に係るヒューズユニットが適用されるバッテリーの概略構成を表す斜視図である。図２は、実施形態１に係るヒューズユニットの概略構成を表す分解斜視図である。図３は、実施形態１に係るヒューズユニットの概略構成を表す平面図である。図４は、図３中のＡ１−Ａ１断面図である。図５は、図３中のＢ１−Ｂ１断面図である。図６は、図３中のＣ１−Ｃ１断面図である。図７は、図３中のＤ１−Ｄ１断面図である。なお、図２は、説明をわかり易くするため、実際にはインサート成形によってハウジングの内部に埋設されるヒューズエレメント、スタッドボルトを分解して模式的に図示している。
【００２４】
なお、以下の説明では、バッテリーポスト１０２の中心軸線Ｘ１に沿った方向を軸方向という。典型的には、軸方向は、バッテリー１００が車両等に搭載された状態で、鉛直方向に沿った方向となり、後述するバッテリー筐体１０１のポスト立設面１０５は、典型的には、バッテリー筐体１０１の鉛直方向上面に相当する。またここでは、以下の説明を分かり易くするために、便宜的に当該軸方向と直交する２方向のうち一方を長辺方向（第１の幅方向）、他方を短辺方向（第２の幅方向）という。これら軸方向、長辺方向、及び、短辺方向は互いに直交する。
【００２５】
本実施形態に係るヒューズユニット１は、図１、図２、図３、図４、図５、図６、図７に示すように、車両等に搭載されるバッテリー１００に接続されるバッテリー端子１１０に適用され、電装回路の過電流保護に用いられるものである。
【００２６】
ここでまず、図１、図２、図３を参照して、当該ヒューズユニット１が適用されるバッテリー１００及びバッテリー端子１１０について説明する。
【００２７】
バッテリー１００は、例えば、車両等に蓄電装置として搭載されるものである。バッテリー１００は、バッテリー液や当該バッテリー１００を構成する種々の部品を収容するバッテリー筐体１０１、当該バッテリー筐体１０１に設けられたバッテリーポスト１０２等を含んで構成される。バッテリー筐体１０１は、いずれか１つの面が開放された略矩形箱状の筐体本体１０３と、上記開放された面を閉塞させる蓋部材１０４とを含んで構成され、全体として略直方体形状に形成される。ここでは、バッテリー筐体１０１は、長辺方向に沿った方向が長辺、短辺方向に沿った方向が短辺となるがこれに限らない。バッテリーポスト１０２は、導電性を有する鉛等により構成され、蓋部材１０４のポスト立設面１０５に立設される。ポスト立設面１０５は、バッテリー筐体１０１においてバッテリーポスト１０２が立設される面である。ここでは、当該ポスト立設面１０５は、例えば、バッテリー１００が車両等に搭載された状態で、バッテリー筐体１０１を構成する蓋部材１０４の鉛直方向上側の面（鉛直方向上面）である。このポスト立設面１０５は、後述の凹部１０６の底面も含む、蓋部材１０４の鉛直方向上面全体である。バッテリーポスト１０２は、略円柱形状であり、中心軸線Ｘ１がポスト立設面１０５と直交するような位置関係で当該ポスト立設面１０５上に突出するようにして立設される。より詳細には、本実施形態のバッテリーポスト１０２は、ポスト立設面１０５の角位置近傍に形成された凹部１０６内に立設される。当該凹部１０６は、ポスト立設面１０５の角位置近傍において略矩形状に陥没した部分である。バッテリーポスト１０２は、この凹部１０６内に立設されている。バッテリーポスト１０２は、典型的には、軸方向の先端側に進むにつれて径が小さくなるようテーパが付けられている。つまり、バッテリーポスト１０２は、先端の外径が基端の外径より小さいテーパ形状となる。
【００２８】
なお、バッテリーポスト１０２、凹部１０６は、長辺方向に対して、陽極、陰極で対となるように一対で設けられ、当該一対の凹部１０６は、連通凹部１０７（図７等も参照）を介して連通されている。連通凹部１０７は、蓋部材１０４の長辺方向の縁部に沿って形成される。以下の説明では、ヒューズユニット１が陽極側のバッテリーポスト１０２に設けられるバッテリー端子１１０に対して適用される場合を説明するがこれに限らない。なお、バッテリー１００は、鉛直方向下側に設けられる据付トレイ１０８等を介して車両の所定の位置に据え付けられる。
【００２９】
バッテリー端子１１０は、バッテリーポスト１０２に取り付けられることにより、バッテリー１００と、このバッテリー１００が搭載される車両等の本体側の電線１１４の末端に設けられた端子１１５等の金具とを電気的に接続するための部品である。バッテリー端子１１０は、本体部１１１と、スタッドボルト１１２と、締付部１１３とを備える。本体部１１１は、例えば、導電性を有する金属板のプレス折り曲げ加工により、環状部１１１ａ、ボルト保持部１１１ｂ等が一体で形成される。環状部１１１ａは、バッテリーポスト１０２が挿入されるポスト挿入孔１１１ｃと、当該ポスト挿入孔１１１ｃと連続するスリット１１１ｄが形成される。ポスト挿入孔１１１ｃは、略円形状に形成され、バッテリーポスト１０２が挿入された状態で、各内周面がバッテリーポスト１０２と接触するように、内周壁面に上述したバッテリーポスト１０２のテーパに対応したテーパを有している。ボルト保持部１１１ｂは、例えば、ボルト挿入孔１１１ｅにスタッドボルト１１２が挿入された状態で折り曲げ加工されることで、当該スタッドボルト１１２を保持する部分である。スタッドボルト１１２は、導電性を有し、ボルト保持部１１１ｂに保持された状態で、ボルト挿入孔１１１ｅから露出した軸部に電線１１４の末端に設けられた端子１１５等の金具が電気的に接続される（図１、図３等参照）。締付部１１３は、ポスト挿入孔１１１ｃ内にバッテリーポスト１０２が挿入された状態で、環状部１１１ａを当該バッテリーポスト１０２に締結するものである。締付部１１３は、例えば、ボルトと、ナットとを含んで構成され、当該ボルトが上述のスリット１１１ｄを横断するような位置関係で本体部１１１に組み付けられる。そして、締付部１１３は、ボルトの先端部分にナットが螺合されることで、環状部１１１ａを締め付けてバッテリー端子１１０をバッテリーポスト１０２に締結する。
【００３０】
そして、本実施形態のヒューズユニット１は、上記のようにしてバッテリー端子１１０がバッテリーポスト１０２に締結されるバッテリー１００にあって、ベース部３１と保持部３２とが一体的に形成された保持機構としてのプロテクタ３によって、ヒュージブルリンク２をポスト立設面１０５、ここでは、バッテリー筐体１０１の鉛直方向上面に保持することで、バッテリーポスト１０２に作用する荷重を抑制している。
【００３１】
具体的には、ヒューズユニット１は、図１、図２、図３、図４、図５、図６、図７に示すように、ヒュージブルリンク２と、保持機構としてのプロテクタ３とを備える。さらに、本実施形態のヒューズユニット１は、係止機構４と、連結バスバー５とを備える。
【００３２】
ヒュージブルリンク２は、バッテリー端子１１０と接続され過電流が流れたときに可溶体（ヒューズ）２１ｃが溶断するものである。ヒュージブルリンク２は、可溶体２１ｃが設けられたヒューズエレメント２１と、ヒューズエレメント２１に連接されるスタッドボルト２２と、ヒューズエレメント２１を支持する樹脂製のハウジング２３とを含んで構成される。
【００３３】
ヒューズエレメント２１は、導電性を有する板状の導体であり、金属バスバーによって構成される。ヒューズエレメント２１は、連結バスバー５等を介してバッテリー端子１１０に接続される電源側端子２１ａと、負荷端子に接続される複数の負荷側端子２１ｂと、電源側端子２１ａと各負荷側端子２１ｂとに渡して設けられた可溶体２１ｃとが平板状に一体形成される。各負荷側端子２１ｂは、負荷端子の形状等に応じて様々な形状を有している。各可溶体２１ｃは、電源側端子２１ａと各負荷側端子２１ｂとをそれぞれ導通接続している。各可溶体２１ｃは、例えば、幅を狭めた帯状の導電部に低融点金属チップを溶着させた構成で、過電流が流れたときに溶断し該当する電流経路を遮断する。ここで、可溶体２１ｃの過電流とは、例えば、予め設定された定格以上の電流である。つまり、各可溶体２１ｃは、予め設定された定格以上の電流が流れたときに溶断する。各可溶体２１ｃの定格電流は、保護する回路の電流に合わせてそれぞれ決められる。電源側端子２１ａ、各負荷側端子２１ｂは、それぞれボルト取付孔やコネクタ接続形状が設けられており、例えば、ボルト取付孔にはスタッドボルト２２が接合される。
【００３４】
各スタッドボルト２２は、導電性を有し、外部回路の負荷端子が電気的に接続される。
【００３５】
ハウジング２３は、絶縁性の樹脂材によって形成され、ヒューズエレメント２１及びスタッドボルト２２を支持して覆うブロック状ボディである。本実施形態のヒュージブルリンク２は、例えば、インサート成形等によってハウジング２３の内部にヒューズエレメント２１、スタッドボルト２２が埋設され一体化される（図６、図７等参照）。ヒュージブルリンク２は、全体として、略矩形箱状に形成される。
【００３６】
なお、ヒュージブルリンク２は、各可溶体２１ｃの位置が樹脂製の透明カバー部材２４によって覆われており、この透明カバー部材２４を通して各可溶体２１ｃを目視できるようになっている。
【００３７】
プロテクタ３は、ヒュージブルリンク２をポスト立設面１０５上に保持するものである。プロテクタ３は、ベース部３１と、保持部３２とを有し、これらが絶縁性の樹脂材によって一体形成される。
【００３８】
ベース部３１は、バッテリー筐体１０１のポスト立設面１０５に設けられたバッテリーポスト１０２にバッテリー端子１１０が締結された状態でポスト立設面１０５とバッテリー端子１１０との間に介在する部分である。ベース部３１は、バッテリーポスト１０２の周りに設けられる。ここでは、ベース部３１は、矩形板状に形成され、バッテリーポスト１０２が挿入されるポスト挿入孔３１ａが形成される。ポスト挿入孔３１ａは、バッテリー１００等で許容される公差等を踏まえてバッテリーポスト１０２よりも十分に大きく形成される。ベース部３１は、ポスト挿入孔３１ａにバッテリーポスト１０２が挿入された状態でポスト立設面１０５の凹部１０６内に配置可能な大きさ、形状で形成される。なお、ベース部３１は、ポスト挿入孔３１ａにかえて、バッテリーポスト１０２が貫通可能なポスト挿入切り欠きを備える構成であってもよい。
【００３９】
保持部３２は、ベース部３１と連接されヒュージブルリンク２をポスト立設面１０５に保持するものである。保持部３２は、略矩形板状に形成された底面３２ａと、この底面３２ａの周縁を囲うように立設される側壁３２ｂとを有し、これらが一体となってトレイ状（皿状）に形成される。側壁３２ｂは、底面３２ａの４方を囲うように軸方向一方側、ここではプロテクタ３がバッテリー１００のポスト立設面１０５上に組み付けられた状態（以下、単に「組み付け状態」という場合がある。）で鉛直方向上側に向けて突出するようにして立設される。なお、側壁３２ｂは、例えば、ヒュージブルリンク２に接続される端子やコネクタの形状等に応じて所定の箇所が切り欠かれていてもよい。保持部３２は、底面３２ａと側壁３２ｂとによってヒュージブルリンク２を収容し保持するための収容空間部３２ｃが区画される。収容空間部３２ｃは、プロテクタ３がバッテリー１００のポスト立設面１０５上に組み付けられた状態で、鉛直方向上側に開口する。収容空間部３２ｃは、ヒュージブルリンク２が嵌合する大きさ、形状に形成される。また、保持部３２は、側壁３２ｂの先端部（組み付け状態で鉛直方向上側の端部）に複数の係止爪部３２ｄが形成される。係止爪部３２ｄは、側壁３２ｂの先端部が曲がったようなフック状、あるいは、鉤状に形成される（図７等参照）。保持部３２は、ヒュージブルリンク２が収容空間部３２ｃに嵌合された状態で、この複数の係止爪部３２ｄがヒュージブルリンク２のハウジング２３の外縁部における所定の位置に係合することで、当該ヒュージブルリンク２を収容空間部３２ｃに係止しロックすることができる。
【００４０】
そして、上記のように構成される本実施形態の保持部３２は、長辺方向に対してベース部３１と隣接するようにして、当該ベース部３１と一体で形成される。保持部３２は、ベース部３１側の側壁３２ｂがポスト立設面１０５上の凹部１０６による段差に対応するように鉛直方向下側に延在し、当該側壁３２ｂの下端部でベース部３１と連続する。保持部３２は、このプロテクタ３が、ベース部３１のポスト挿入孔３１ａ内にバッテリーポスト１０２が挿入され、当該ベース部３１が凹部１０６内に位置するような位置関係でバッテリー１００に組み付けられた状態で、少なくとも一部がポスト立設面１０５上に位置し、当該ポスト立設面１０５上にヒュージブルリンク２を載置し、保持する。保持部３２は、組み付け状態で、底面３２ａの背面側（収容空間部３２ｃとは反対側の面）がポスト立設面１０５に当接して載置される。したがって、プロテクタ３は、ヒュージブルリンク２の荷重を、当該保持部３２を介してポスト立設面１０５上で受けることとなる。
【００４１】
係止機構４は、上記のように構成されるプロテクタ３をポスト立設面１０５上に係止するものである。本実施形態の係止機構４は、バッテリー筐体１０１と係合することでプロテクタ３をポスト立設面１０５上に係止する係止爪部４１、４２を含んで構成される。係止爪部４１、４２は、複数、ここでは２つが設けられ、バッテリー筐体１０１の複数の面、ここでは、バッテリー筐体１０１において互いに直交する２面に係合する。係止爪部４１、４２は、それぞれ組み付け状態で鉛直方向に沿って延在する板状部（アーム部）４１ａ、４２ａを介してプロテクタ３のベース部３１、及び、保持部３２と一体で形成される。板状部４１ａ、４２ａは、組み付け状態においてベース部３１、保持部３２から鉛直方向下側に向けて延在し、ベース部３１、保持部３２と一体で形成される。
【００４２】
係止爪部４１及び板状部４１ａは、組み付け状態でバッテリー筐体１０１の蓋部材１０４の長辺方向に沿った側面、ここでは、蓋部材１０４のポスト立設面１０５に形成された凹部１０６近傍の長辺方向に沿った側面と対向する位置に形成される。係止爪部４１及び板状部４１ａは、ベース部３１と保持部３２とに渡って長辺方向に沿って延在して形成される。係止爪部４２及び板状部４２ａは、組み付け状態でバッテリー筐体１０１の蓋部材１０４の短辺方向に沿った側面、ここでは、蓋部材１０４のポスト立設面１０５に形成された凹部１０６近傍の短辺方向に沿った側面と対向する位置に形成される。係止爪部４２及び板状部４２ａは、ベース部３１において短辺方向に沿って延在して形成される。
【００４３】
係止爪部４１、４２は、それぞれ板状部４１ａ、４２ａの先端部（プロテクタ３がバッテリー１００のポスト立設面１０５上に組み付けられた状態で鉛直方向下側の端部）が曲がったようなフック状、あるいは、鉤状に形成される（図４、図５、図７等参照）。ここでは、係止爪部４１、４２は、バッテリー筐体１０１において、蓋部材１０４の縁部の鉛直方向下端面と係合する。係止機構４は、プロテクタ３がバッテリー１００のポスト立設面１０５上に組み付けられた状態でこの係止爪部４１、４２が蓋部材１０４の鉛直方向下端面の所定の位置に係合することで、プロテクタ３をポスト立設面１０５上に係止しロックすることができる。
【００４４】
連結バスバー５は、導電性を有する板状の導体であり、ヒューズエレメント２１とバッテリー端子１１０とを電気的に接続するものである。連結バスバー５は、板状の金属バスバーであり、ポスト立設面１０５上の凹部１０６による段差に対応するように段差部５ａが形成されると共に、両端部にボルト孔５ｂ、５ｃが形成される。連結バスバー５は、ボルト孔５ｂに電源側端子２１ａのスタッドボルト２２が挿入されてナットが締結され、ボルト孔５ｃにバッテリー端子１１０のスタッドボルト１１２が挿入されてナットが締結されることで、電源側端子２１ａのスタッドボルト２２とバッテリー端子１１０のスタッドボルト１１２の軸部とを電気的に接続する。
【００４５】
上記のようにして構成されるヒューズユニット１は、ヒュージブルリンク２がプロテクタ３の保持部３２の収容空間部３２ｃ内に嵌合され、複数の係止爪部３２ｄがヒュージブルリンク２のハウジング２３に係合することで、当該ヒュージブルリンク２が収容空間部３２ｃに係止されロックされる。そして、ヒューズユニット１は、プロテクタ３のベース部３１のポスト挿入孔３１ａ内にバッテリーポスト１０２が挿入され、当該ベース部３１が凹部１０６内に位置するような位置関係で、プロテクタ３がヒュージブルリンク２と共にバッテリー１００のポスト立設面１０５上に組み付けられる。このとき、ヒューズユニット１は、係止機構４の係止爪部４１、４２が蓋部材１０４の鉛直方向下端面に係合することで、ヒュージブルリンク２と共にプロテクタ３をポスト立設面１０５上に係止しロックすることができる。
【００４６】
このようにして、ヒューズユニット１は、少なくともプロテクタ３の一部がバッテリー１００のポスト立設面１０５上に位置し、当該ポスト立設面１０５上にヒュージブルリンク２を載置し、保持することができる。そして、ヒューズユニット１は、バッテリー端子１１０がバッテリーポスト１０２に組み付けられた後、ヒューズエレメント２１の電源側端子２１ａのスタッドボルト２２とバッテリー端子１１０とを接続するようにして連結バスバー５が設けられ、各部のボルト、ナット等が締め付けられる。この結果、バッテリー端子１１０は、バッテリーポスト１０２に締結されると共に、当該バッテリー端子１１０とヒュージブルリンク２とが接続される。このとき、連結バスバー５は、バッテリーポスト１０２に対するバッテリー端子１１０の組み付け角度を規制する規制部材としても機能する。
【００４７】
なおここでは、ヒュージブルリンク２をプロテクタ３に組み付けた後にヒュージブルリンク２と共にプロテクタ３をポスト立設面１０５上に組み付けるものとして説明したが、これに限らず、プロテクタ３をポスト立設面１０５上に組み付けた後に、プロテクタ３にヒュージブルリンク２を組み付けてもよい。また、バッテリー端子１１０のスタッドボルト１１２には、連結バスバー５と共に上述の電線１１４の末端に設けられた端子１１５等も接続される。
【００４８】
以上で説明したヒューズユニット１によれば、バッテリー端子１１０と接続され過電流が流れたときに可溶体２１ｃが溶断するヒュージブルリンク２と、プロテクタ３と、係止機構４とを備える。プロテクタ３は、バッテリー筐体１０１のポスト立設面１０５に設けられたバッテリーポスト１０２にバッテリー端子１１０が締結された状態でポスト立設面１０５とバッテリー端子１１０との間に介在するベース部３１と、ベース部３１と連接されヒュージブルリンク２をポスト立設面１０５に保持する保持部３２とを有する。係止機構４は、プロテクタ３をポスト立設面１０５上に係止する。
【００４９】
したがって、ヒューズユニット１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１からバッテリー端子１１０に作用する荷重を抑制することができるので、バッテリーポスト１０２に作用する荷重を抑制することができる。このとき、ヒューズユニット１は、係止機構４によって、プロテクタ３をヒュージブルリンク２と共にポスト立設面１０５上に確実に組み付けることができる。また、ヒューズユニット１は、バッテリー筐体１０１の側面側の周囲に当該ヒューズユニット１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００５０】
また、上記で説明したヒューズユニット１は、プロテクタ３とバッテリー端子１１０とを別体でバッテリー１００に組み付けることができるので、例えば、バッテリー１００等で許容される公差等にかかわらず、適正にバッテリー端子１１０をバッテリーポスト１０２に締結することができる。
【００５１】
さらに、以上で説明したヒューズユニット１によれば、係止機構４は、バッテリー筐体１０１と係合することでプロテクタ３をポスト立設面１０５上に係止する係止爪部４１、４２を含んで構成される。したがって、ヒューズユニット１は、係止爪部４１、４２がバッテリー筐体１０１と係合することで、プロテクタ３をヒュージブルリンク２と共にポスト立設面１０５上に係止することができる。
【００５２】
さらに、以上で説明したヒューズユニット１によれば、係止爪部４１、４２は、複数設けられ、バッテリー筐体１０１の複数の面に係合する。したがって、ヒューズユニット１は、係止爪部４１、４２がバッテリー筐体１０１の複数の面に係合してプロテクタ３をポスト立設面１０５上に係止することができるので、より確実にプロテクタ３をポスト立設面１０５上に組み付けることができる。
【００５３】
［実施形態２］
図８は、実施形態２に係るヒューズユニットが適用されるバッテリーの概略構成を表す斜視図である。図９は、実施形態２に係るヒューズユニットの概略構成を表す分解斜視図である。図１０は、実施形態２に係るヒューズユニットの概略構成を表す平面図である。図１１は、図１０中のＡ２−Ａ２断面図である。図１２は、図１０中のＢ２−Ｂ２断面図である。図１３は、図１０中のＣ２−Ｃ２断面図である。図１４は、図１０中のＤ２−Ｄ２断面図である。なお、図９は、説明をわかりやすくするため、実際にはインサート成形によってハウジングの内部に埋設されるヒューズエレメント、スタッドボルトを分解して模式的に図示している。実施形態２に係るヒューズユニットは、さらに、装着部を備える点で実施形態１とは異なる。その他、上述した実施形態と共通する構成、作用、効果については、重複した説明はできるだけ省略する。
【００５４】
本実施形態に係るヒューズユニット２０１は、図８、図９、図１０、図１１、図１２、図１３、図１４に示すように、ヒュージブルリンク２と、保持機構としてのプロテクタ３と、係止機構４と、連結バスバー５とを備える。
【００５５】
そして、本実施形態のプロテクタ３は、さらに、ベース部３１に、バッテリー端子１１０が装着される装着部２３３を有する。装着部２３３は、ベース部３１において、バッテリー端子１１０をバッテリーポスト１０２に締結可能な位置に装着するものである。本実施形態の装着部２３３は、係合爪部２３３ａと、この係合爪部２３３ａと係合する蓋部２３３ｂとを含んで構成される（図９、図１１等参照）。係合爪部２３３ａは、ベース部３１において、長辺方向に対してポスト挿入孔３１ａを挟んで一対で設けられる。蓋部２３３ｂは、バッテリー端子１１０の環状部１１１ａ近傍を覆うものである。蓋部２３３ｂは、バッテリー端子１１０のポスト挿入孔１１１ｃとほぼ同様の形状の貫通孔が形成されると共に、当該貫通孔の両脇に上述の係合爪部２３３ａと係合可能であるロック部２３３ｃが形成されている（図９等参照）。装着部２３３は、ベース部３１と蓋部２３３ｂとの間にバッテリー端子１１０を挟み込んだ状態で、蓋部２３３ｂの各ロック部２３３ｃがベース部３１上の係合爪部２３３ａと係合することで、バッテリー端子１１０をベース部３１の所定の位置に装着し係止することができる。装着部２３３は、ベース部３１のポスト挿入孔３１ａ内にバッテリーポスト１０２が挿入された状態で、バッテリー端子１１０のポスト挿入孔１１１ｃにバッテリーポスト１０２が挿入されるような位置関係となるように、各係合爪部２３３ａと蓋部２３３ｂとが設けられる。
【００５６】
上記のようにして構成されるヒューズユニット２０１は、ヒュージブルリンク２がプロテクタ３の保持部３２の収容空間部３２ｃ内に嵌合され、複数の係止爪部３２ｄがヒュージブルリンク２のハウジング２３に係合することで、当該ヒュージブルリンク２が収容空間部３２ｃに係止されロックされる。そして、ヒューズユニット２０１は、ベース部３１に設けられた装着部２３３にバッテリー端子１１０が装着され、この状態でプロテクタ３のベース部３１のポスト挿入孔３１ａ内、及び、バッテリー端子１１０のポスト挿入孔１１１ｃ内にバッテリーポスト１０２が挿入され、当該ベース部３１が凹部１０６内に位置するような位置関係で、プロテクタ３がヒュージブルリンク２と共にバッテリー１００のポスト立設面１０５上に組み付けられる。このとき、ヒューズユニット２０１は、係止機構４の係止爪部４１、４２が蓋部材１０４の鉛直方向下端面に係合することで、ヒュージブルリンク２と共にプロテクタ３をポスト立設面１０５上に係止しロックすることができる。
【００５７】
このようにして、ヒューズユニット２０１は、少なくともプロテクタ３の一部がバッテリー１００のポスト立設面１０５上に位置し、当該ポスト立設面１０５上にヒュージブルリンク２を載置し、保持することができる。そして、ヒューズユニット２０１は、ヒューズエレメント２１の電源側端子２１ａのスタッドボルト２２とバッテリー端子１１０とを接続するようにして連結バスバー５が設けられ、各部のボルト、ナット等が締め付けられる。この結果、バッテリー端子１１０は、バッテリーポスト１０２に締結されると共に、当該バッテリー端子１１０とヒュージブルリンク２とが接続される。
【００５８】
以上で説明したヒューズユニット２０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット２０１からバッテリー端子１１０に作用する荷重を抑制することができるので、バッテリーポスト１０２に作用する荷重を抑制することができる。このとき、ヒューズユニット２０１は、係止機構４によって、プロテクタ３をヒュージブルリンク２と共にポスト立設面１０５上に確実に組み付けることができる。また、ヒューズユニット２０１は、バッテリー筐体１０１の側面側の周囲に当該ヒューズユニット２０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００５９】
さらに、以上で説明したヒューズユニット２０１によれば、プロテクタ３は、ベース部３１において、バッテリー端子１１０をバッテリーポスト１０２に締結可能な位置に装着する装着部２３３を有する。したがって、ヒューズユニット２０１は、装着部２３３にバッテリー端子１１０を装着した状態でプロテクタ３と当該バッテリー端子１１０とを一体でバッテリー１００に組み付けることができるので、組み付け時の作業工数を削減することができ、組み付け作業性を向上することができる。
【００６０】
また、このヒューズユニット２０１は、プロテクタ３とバッテリー端子１１０とを一体でバッテリー１００に組み付けることができるので、当該プロテクタ３に一体で形成された係止爪部４１、４２、板状部４１ａ、４２ａを、バッテリーポスト１０２に対するバッテリー端子１１０の組み付け角度を規制する規制部材としても兼用することができる。つまり、ヒューズユニット２０１は、係止爪部４１、４２、板状部４１ａ、４２ａがバッテリー端子１１０のバッテリーポスト１０２周り方向の回転を所定の範囲で規制するストッパとしても機能することで、バッテリーポスト１０２に対するバッテリー端子１１０の組み付け角度の許容範囲を相対的に狭い範囲に限定することができるので、バッテリーポスト１０２に対するバッテリー端子１１０の組み付け精度を向上することができる。
【００６１】
なお、以上で説明した装着部２３３は、上記で説明した形式に限らない。例えば、装着部２３３は、一対の係合爪部２３３ａとロック部２３３ｃとを２組備えるが、一方の組にかえてヒンジを介してベース部３１と蓋部２３３ｂとが一体になるように構成されてもよい。この場合、装着部２３３は、ベース部３１と蓋部２３３ｂとの間にバッテリー端子１１０を保持した状態、すなわち、閉状態で、ロック部２３３ｃが係合爪部２３３ａと係合することで、当該蓋部２３３ｂの開放が規制され、これにより、バッテリー端子１１０をベース部３１の所定の位置に装着し係止することができる。また、装着部２３３は、蓋部２３３ｂ等を備えない構成であってもよい。この場合、装着部２３３は、例えば、バッテリー端子１１０又はベース部３１の一方に形成された凹部に、他方に形成されたロック形状付きの突起部が嵌合しロックされることで、バッテリー端子１１０をベース部３１の所定の位置に装着し係止する形式であってもよい。
【００６２】
［実施形態３］
図１５は、実施形態３に係るヒューズユニットの係止力調節機構近傍の分解斜視図である。図１６は、実施形態３に係るヒューズユニットの係止力調節機構近傍の部分斜視図である。図１７は、実施形態３に係るヒューズユニットの係止爪部を含む長辺方向に沿った部分断面図である。図１８は、実施形態３に係るヒューズユニットの係止爪部を含む短辺方向に沿った部分断面図である。図１９は、図１７中の囲み線Ａ５内の拡大部分断面図である。図２０は、変形例に係るヒューズユニットの係止力調節機構近傍の分解斜視図である。実施形態３に係るヒューズユニットは、さらに、係止力調節機構を備える点で実施形態１とは異なる。その他、上述した実施形態と共通する構成、作用、効果については、重複した説明はできるだけ省略し、概略構成については、適宜他図を参照する。
【００６３】
本実施形態に係るヒューズユニット３０１は、図１５、図１６、図１７、図１８、図１９に示すように、上述したヒュージブルリンク２と、保持機構としてのプロテクタ３と、係止機構４と、連結バスバー５とに加えて、さらに、係止力調節機構３０８を備える。係止力調節機構３０８は、係止機構４を構成する係止爪部４１、４２によってプロテクタ３をポスト立設面１０５上に係止する係止力を調節可能な機構である。
【００６４】
ここで、本実施形態の係止爪部４１、４２は、図１５、図１６等に示すように、それぞれプロテクタ３とは別体に形成され、当該プロテクタ３に、バッテリー筐体１０１に対して接近、離間自在に支持される。より詳細には、本実施形態の係止爪部４１、４２は、それぞれ板状部（アーム部）３４１ａ、３４２ａの先端部に板状部３４１ａ、３４２ａと一体で形成される。ここでは、板状部３４１ａ、３４２ａは、プロテクタ３のベース部３１、及び、保持部３２とは別体に形成される。係止爪部４１、４２は、それぞれ板状部３４１ａ、３４２ａの先端部（プロテクタ３がバッテリー１００のポスト立設面１０５上に組み付けられた状態で鉛直方向下側の端部）が曲がったようなフック状、あるいは、鉤状に形成される（図１７、図１８等参照）。
【００６５】
また、板状部３４１ａ、３４２ａは、それぞれ係止爪部４１、４２が設けられる端部とは反対側の端部（プロテクタ３がバッテリー１００のポスト立設面１０５上に組み付けられた状態で鉛直方向上側の端部）にプロテクタ３側に支持される支持構造体３４１ｂ、３４２ｂが一体で形成される。本実施形態の支持構造体３４１ｂ、３４２ｂは、四角柱状に形成され、板状部３４１ａ、３４２ａの主面と交差（ここではほぼ直交）する方向に延在する。また、本実施形態のプロテクタ３は、ベース部３１に、支持部３３１ｂ、３３１ｃが一体で形成されている。支持部３３１ｂ、３３１ｃは、支持構造体３４１ｂ、３４２ｂが挿入され、これを支持する部分であり、組み付け状態において、支持部３３１ｂがベース部３１の長辺方向に沿った縁部に形成され、支持部３３１ｃがベース部３１の短辺方向に沿った縁部に形成される。係止爪部４１及び板状部３４１ａは、支持構造体３４１ｂが支持部３３１ｂに挿入され支持されることで、当該プロテクタ３のベース部３１に、バッテリー筐体１０１に対して短辺方向に沿って接近、離間自在に支持される。係止爪部４２及び板状部３４２ａは、支持構造体３４２ｂが支持部３３１ｃに挿入され支持されることで、当該プロテクタ３のベース部３１に、バッテリー筐体１０１に対して長辺方向に沿って接近、離間自在に支持される。
【００６６】
係止爪部４１及び板状部３４１ａは、組み付け状態で、かつ、支持構造体３４１ｂが支持部３３１ｂに支持された状態で、バッテリー筐体１０１の蓋部材１０４の長辺方向に沿った側面、ここでは、蓋部材１０４のポスト立設面１０５に形成された凹部１０６近傍の長辺方向に沿った側面と対向する位置に形成される。この状態で、係止爪部４１及び板状部３４１ａは、長辺方向に沿って延在して形成され、支持構造体３４１ｂは、短辺方向に沿って延在する。係止爪部４２及び板状部３４２ａは、組み付け状態で、かつ、支持構造体３４２ｂが支持部３３１ｃに支持された状態で、バッテリー筐体１０１の蓋部材１０４の短辺方向に沿った側面、ここでは、蓋部材１０４のポスト立設面１０５に形成された凹部１０６近傍の短辺方向に沿った側面と対向する位置に形成される。この状態で、係止爪部４２及び板状部３４２ａは、短辺方向に沿って延在して形成され、支持構造体３４２ｂは、長辺方向に沿って延在する。
【００６７】
そして、本実施形態の係止力調節機構３０８は、図１５、図１７、図１８、図１９に示すように、支持構造体３４１ｂと支持部３３１ｂとの支持部分、及び、支持構造体３４２ｂと支持部３３１ｃとの支持部分にそれぞれ設けられる。なおここでは、図１９に示す拡大部分断面図は、支持構造体３４２ｂ側の係止力調節機構３０８を図示しているが、支持構造体３４１ｂ側の係止力調節機構３０８もこれとほぼ同様の構成であるので図示を省略している。
【００６８】
各係止力調節機構３０８は、プロテクタ３側又は係止爪部４１、４２側の一方に形成された第１段差３０８ａと、プロテクタ３側又は係止爪部４１、４２側の他方に、係止爪部４１、４２がバッテリー筐体１０１に対して接近、離間する方向に沿って並んで形成された複数の第２段差３０８ｂとを有する。
【００６９】
支持構造体３４２ｂ側の係止力調節機構３０８は、図１７、図１９等に示すように、第１段差３０８ａがプロテクタ３のベース部３１の鉛直方向上面（言い換えれば、支持構造体３４２ｂと対向する面）に形成される。当該第１段差３０８ａは、ベース部３１から突出した突出段差として形成され、ここでは、１つ設けられる。また、当該係止力調節機構３０８は、第２段差３０８ｂが係止爪部４２と一体形成される支持構造体３４２ｂの鉛直方向下端面（言い換えれば、ベース部３１と対向する面）に形成される。当該第２段差３０８ｂは、支持構造体３４２ｂの鉛直方向下端面から突出した突出段差として形成される。当該第２段差３０８ｂは、係止爪部４２がバッテリー筐体１０１に対して接近、離間する方向、すなわち、長辺方向に沿って複数並んで形成される。第１段差３０８ａと各第２段差３０８ｂとは、係止爪部４２、板状部３４２ａをバッテリー筐体１０１に接近する方向に移動させ、支持構造体３４２ｂを長辺方向に沿って支持部３３１ｃに押し込むように移動させた際に各第２段差３０８ｂが第１段差３０８ａを乗り越える一方、係止爪部４２、板状部３４２ａをバッテリー筐体１０１から離間する方向に移動させ、支持構造体３４２ｂを長辺方向に沿って支持部３３１ｃから引き出すように移動させようとした際に、いずれかの第２段差３０８ｂが第１段差３０８ａと当接し、当該支持構造体３４２ｂの移動が規制されるような断面形状に形成される。
【００７０】
同様に、支持構造体３４１ｂ側の係止力調節機構３０８は、図１８等に示すように、第１段差３０８ａがプロテクタ３のベース部３１の鉛直方向上面（言い換えれば、支持構造体３４１ｂと対向する面）に形成される。当該第１段差３０８ａは、ベース部３１から突出した突出段差として形成され、ここでは、１つ設けられる。また、当該係止力調節機構３０８は、第２段差３０８ｂが係止爪部４１と一体形成される支持構造体３４１ｂの鉛直方向下端面（言い換えれば、ベース部３１と対向する面）に形成される。当該第２段差３０８ｂは、支持構造体３４１ｂの鉛直方向下端面から突出した突出段差として形成される。当該第２段差３０８ｂは、係止爪部４１がバッテリー筐体１０１に対して接近、離間する方向、すなわち、短辺方向に沿って複数並んで形成される。第１段差３０８ａと各第２段差３０８ｂとは、係止爪部４１、板状部３４１ａをバッテリー筐体１０１に接近する方向に移動させ、支持構造体３４１ｂを短辺方向に沿って支持部３３１ｂに押し込むように移動させた際に各第２段差３０８ｂが第１段差３０８ａを乗り越える一方、係止爪部４１、板状部３４１ａをバッテリー筐体１０１から離間する方向に移動させ、支持構造体３４１ｂを短辺方向に沿って支持部３３１ｂから引き出すように移動させようとした際に、いずれかの第２段差３０８ｂが第１段差３０８ａと当接し、当該支持構造体３４１ｂの移動が規制されるような断面形状に形成される。
【００７１】
上記のような構成により、各係止力調節機構３０８は、第１段差３０８ａと複数の第２段差３０８ｂのいずれかとが噛み合うことで、係止爪部４１、４２の、バッテリー筐体１０１から離間する側への移動を規制することができる。このことを利用して、支持構造体３４１ｂ側の係止力調節機構３０８は、係止爪部４１、板状部３４１ａをバッテリー筐体１０１に接近する方向に移動させ、支持構造体３４１ｂを支持部３３１ｂ側に可能な限り押し込むことで、係止爪部４１がバッテリー筐体１０１の蓋部材１０４に係合する力を相対的に大きくし、これにより、係止爪部４１によってプロテクタ３をポスト立設面１０５上に係止する係止力を相対的に大きくした上で、この状態を保持することができる。同様に、支持構造体３４２ｂ側の係止力調節機構３０８は、係止爪部４２、板状部３４２ａをバッテリー筐体１０１に接近する方向に移動させ、支持構造体３４２ｂを支持部３３１ｃ側に可能な限り押し込むことで、係止爪部４２がバッテリー筐体１０１の蓋部材１０４に係合する力を相対的に大きくし、これにより、係止爪部４２によってプロテクタ３をポスト立設面１０５上に係止する係止力を相対的に大きくした上で、この状態を保持することができる。
【００７２】
以上で説明したヒューズユニット３０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット３０１からバッテリー端子１１０に作用する荷重を抑制することができるので、バッテリーポスト１０２に作用する荷重を抑制することができる。このとき、ヒューズユニット３０１は、係止機構４によって、プロテクタ３をヒュージブルリンク２と共にポスト立設面１０５上に確実に組み付けることができる。また、ヒューズユニット３０１は、バッテリー筐体１０１の側面側の周囲に当該ヒューズユニット３０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００７３】
さらに、以上で説明したヒューズユニット３０１によれば、係止爪部４１、４２によってプロテクタ３をポスト立設面１０５上に係止する係止力を調節可能である係止力調節機構３０８を備える。したがって、ヒューズユニット３０１は、プロテクタ３をポスト立設面１０５上に組み付けた後に、係止力調節機構３０８によって係止爪部４１、４２による係止力を相対的に大きくすることで、プロテクタ３をヒュージブルリンク２と共にポスト立設面１０５上により確実に係止することができる。
【００７４】
さらに、以上で説明したヒューズユニット３０１によれば、係止爪部４１、４２は、プロテクタ３とは別体に形成され、当該プロテクタ３に、バッテリー筐体１０１に対して接近、離間自在に支持される。そして、係止力調節機構３０８は、プロテクタ３側又は係止爪部４１、４２側の一方に形成された第１段差３０８ａと、プロテクタ３側又は係止爪部４１、４２側の他方に上記接近、離間する方向に沿って並んで形成された複数の第２段差３０８ｂとを有し、第１段差３０８ａと複数の第２段差３０８ｂのいずれかとが噛み合うことで、係止爪部４１、４２の、バッテリー筐体１０１から離間する側への移動を規制し、係止力を相対的に大きくする。したがって、ヒューズユニット３０１は、各係止力調節機構３０８において、第１段差３０８ａと複数の第２段差３０８ｂのいずれかとが噛み合うことで、係止爪部４１、４２の、バッテリー筐体１０１から離間する側への移動を規制することができることを利用して、係止爪部４１、４２がバッテリー筐体１０１の蓋部材１０４に係合する力を相対的に大きくし、係止爪部４１、４２によってプロテクタ３をポスト立設面１０５上に係止する係止力を相対的に大きくした上で、この状態を保持することができる。この結果、ヒューズユニット３０１は、係止爪部４１、４２によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構３０８の部分で公差も吸収することができる。
【００７５】
なお、以上の説明では、係止力調節機構３０８は、プロテクタ３側に第１段差３０８ａが形成され、係止爪部４１、４２側の支持構造体３４１ｂ、３４２ｂに複数の第２段差３０８ｂが形成されるものとして説明したが、第１段差３０８ａが係止爪部４１、４２側の支持構造体３４１ｂ、３４２ｂに形成され、複数の第２段差３０８ｂがプロテクタ３側に形成されてもよい。また、係止力調節機構３０８は、第１段差３０８ａが上記接近、離間する方向に沿って並んで複数形成されてもよい。
【００７６】
また、図２０に例示する変形例に示すように、以上で説明した係止力調節機構３０８を上述したヒューズユニット２０１に適用してヒューズユニット３０１Ａを構成してもよい。この場合であっても、ヒューズユニット３０１Ａは、プロテクタ３をポスト立設面１０５上により確実に係止することができる。
【００７７】
［実施形態４］
図２１は、実施形態４に係るヒューズユニットの係止力調節機構近傍の分解斜視図である。図２２は、実施形態４に係るヒューズユニットの係止爪部を含む長辺方向に沿った部分断面図である。図２３は、図２２中の囲み線Ａ６内の拡大部分断面図である。図２４は、変形例に係るヒューズユニットの係止力調節機構近傍の分解斜視図である。実施形態４に係るヒューズユニットは、係止力調節機構が設けられる位置が実施形態３とは異なる。その他、上述した実施形態と共通する構成、作用、効果については、重複した説明はできるだけ省略し、概略構成については、適宜他図を参照する。
【００７８】
本実施形態に係るヒューズユニット４０１は、図２１、図２２、図２３に示すように、上述したヒュージブルリンク２と、保持機構としてのプロテクタ３と、係止機構４と、連結バスバー５とに加えて、さらに、係止力調節機構４０８を備える。係止力調節機構４０８は、係止機構４を構成する係止爪部４１、４２によってプロテクタ３をポスト立設面１０５上に係止する係止力を調節可能な機構である。
【００７９】
本実施形態の係止力調節機構４０８は、係止爪部４１とバッテリー筐体１０１の蓋部材１０４との係合部分、及び、係止爪部４２とバッテリー筐体１０１の蓋部材１０４との係合部分にそれぞれ設けられる。なお、以下では、各係止力調節機構４０８の構成がほぼ同様の構成であるので、係止爪部４２側の係止力調節機構４０８を説明し、係止爪部４１側の係止力調節機構４０８の説明については省略する。
【００８０】
各係止力調節機構４０８は、バッテリー筐体１０１側又は係止爪部４１、４２側の一方に形成された第１段差４０８ａと、バッテリー筐体１０１側又は係止爪部４１、４２側の他方に、係止爪部４１、４２がバッテリー筐体１０１に対して接近、離間する方向に沿って並んで形成された複数の第２段差４０８ｂとを有する。
【００８１】
係止爪部４２側の係止力調節機構４０８は、図２２、図２３等に示すように、第１段差４０８ａが係止爪部４２の鉛直方向上面（言い換えれば、バッテリー筐体１０１の蓋部材１０４の縁部の鉛直方向下端面と係合する係合面）に形成される。当該第１段差４０８ａは、係止爪部４２の鉛直方向上面から突出した突出段差として形成され、ここでは、１つ設けられる。また、当該係止力調節機構４０８は、第２段差４０８ｂがバッテリー筐体１０１の蓋部材１０４の縁部の鉛直方向下端面（言い換えれば、係止爪部４２の鉛直方向上面と係合する係合面）に形成される。当該第２段差４０８ｂは、蓋部材１０４の縁部の鉛直方向下端面から突出した突出段差として形成される。当該第２段差４０８ｂは、係止爪部４２がバッテリー筐体１０１に対して接近、離間する方向、すなわち、長辺方向に沿って複数並んで形成される。第１段差４０８ａと各第２段差４０８ｂとは、係止爪部４２、板状部３４２ａをバッテリー筐体１０１に接近する方向に移動させ、支持構造体３４２ｂを長辺方向に沿って支持部３３１ｃに押し込むように移動させた際に各第２段差４０８ｂが第１段差４０８ａを乗り越える一方、係止爪部４２、板状部３４２ａをバッテリー筐体１０１から離間する方向に移動させ、支持構造体３４２ｂを長辺方向に沿って支持部３３１ｃから引き出すように移動させようとした際に、いずれかの第２段差４０８ｂが第１段差４０８ａと当接し、当該支持構造体３４２ｂの移動が規制されるような断面形状に形成される。係止爪部４１側の係止力調節機構４０８は、第２段差４０８ｂが係止爪部４１の鉛直方向上面（言い換えれば、バッテリー筐体１０１の蓋部材１０４の縁部の鉛直方向下端面と係合する係合面）に形成され、第２段差４０８ｂが短辺方向に沿って複数並んで形成されること以外は、上述の係止爪部４２側の係止力調節機構４０８とほぼ同様の構成である。
【００８２】
上記のような構成により、各係止力調節機構４０８は、第１段差４０８ａと複数の第２段差４０８ｂのいずれかとが噛み合うことで、係止爪部４１、４２の、バッテリー筐体１０１から離間する側への移動を規制することができる。このことを利用して、係止爪部４１側の係止力調節機構４０８は、係止爪部４１、板状部３４１ａをバッテリー筐体１０１に接近する方向に移動させ、係止爪部４１を可能な限り押し込むことで、係止爪部４１がバッテリー筐体１０１の蓋部材１０４に係合する力を相対的に大きくし、これにより、係止爪部４１によってプロテクタ３をポスト立設面１０５上に係止する係止力を相対的に大きくした上で、この状態を保持することができる。同様に、係止爪部４２側の係止力調節機構４０８は、係止爪部４２、板状部３４２ａをバッテリー筐体１０１に接近する方向に移動させ、係止爪部４２を可能な限り押し込むことで、係止爪部４２がバッテリー筐体１０１の蓋部材１０４に係合する力を相対的に大きくし、これにより、係止爪部４２によってプロテクタ３をポスト立設面１０５上に係止する係止力を相対的に大きくした上で、この状態を保持することができる。
【００８３】
以上で説明したヒューズユニット４０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット４０１からバッテリー端子１１０に作用する荷重を抑制することができるので、バッテリーポスト１０２に作用する荷重を抑制することができる。このとき、ヒューズユニット４０１は、係止機構４によって、プロテクタ３をヒュージブルリンク２と共にポスト立設面１０５上に確実に組み付けることができる。また、ヒューズユニット４０１は、バッテリー筐体１０１の側面側の周囲に当該ヒューズユニット４０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００８４】
さらに、以上で説明したヒューズユニット４０１は、プロテクタ３をポスト立設面１０５上に組み付けた後に、係止力調節機構４０８によって係止爪部４１、４２による係止力を相対的に大きくすることで、プロテクタ３をヒュージブルリンク２と共にポスト立設面１０５上により確実に係止することができる。
【００８５】
さらに、以上で説明したヒューズユニット４０１によれば、係止爪部４１、４２は、プロテクタ３とは別体に形成され、当該プロテクタ３に、バッテリー筐体１０１に対して接近、離間自在に支持される。そして、係止力調節機構４０８は、バッテリー筐体１０１側又は係止爪部４１、４２側の一方に形成された第１段差４０８ａと、バッテリー筐体１０１側又は係止爪部４１、４２側の他方に上記接近、離間する方向に沿って並んで形成された複数の第２段差４０８ｂとを有し、第１段差４０８ａと複数の第２段差４０８ｂのいずれかとが噛み合うことで、係止爪部４１、４２の、バッテリー筐体１０１から離間する側への移動を規制し、係止力を相対的に大きくする。したがって、ヒューズユニット４０１は、各係止力調節機構４０８において、第１段差４０８ａと複数の第２段差４０８ｂのいずれかとが噛み合うことで、係止爪部４１、４２の、バッテリー筐体１０１から離間する側への移動を規制することができることを利用して、係止爪部４１、４２がバッテリー筐体１０１の蓋部材１０４に係合する力を相対的に大きくし、係止爪部４１、４２によってプロテクタ３をポスト立設面１０５上に係止する係止力を相対的に大きくした上で、この状態を保持することができる。この結果、ヒューズユニット４０１は、係止爪部４１、４２によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構４０８の部分で公差も吸収することができる。
【００８６】
なお、以上の説明では、係止力調節機構４０８は、係止爪部４１、４２側に第１段差４０８ａが形成され、バッテリー筐体１０１側に複数の第２段差４０８ｂが形成されるものとして説明したが、第１段差４０８ａがバッテリー筐体１０１側に形成され、複数の第２段差４０８ｂが係止爪部４１、４２側に形成されてもよい。また、係止力調節機構４０８は、第１段差４０８ａが上記接近、離間する方向に沿って並んで複数形成されてもよい。
【００８７】
また、図２４に例示する変形例に示すように、以上で説明した係止力調節機構４０８を上述したヒューズユニット２０１に適用してヒューズユニット４０１Ａを構成してもよい。この場合であっても、ヒューズユニット４０１Ａは、プロテクタ３をポスト立設面１０５上により確実に係止することができる。
【００８８】
［実施形態５］
図２５は、実施形態５に係るヒューズユニットの係止機構近傍の部分斜視図である。図２６は、実施形態５に係るヒューズユニットの係止機構近傍を短辺方向に視た部分側面図である。図２７は、実施形態５に係るヒューズユニットの係止機構近傍を長辺方向に視た部分側面図である。図２８は、変形例に係るヒューズユニットの係止機構近傍の部分斜視図である。実施形態５に係るヒューズユニットは、係止機構の構成が実施形態１とは異なる。その他、上述した実施形態と共通する構成、作用、効果については、重複した説明はできるだけ省略し、概略構成については、適宜他図を参照する。
【００８９】
本実施形態に係るヒューズユニット５０１は、図２５、図２６、図２７に示すように、上述したヒュージブルリンク２と、保持機構としてのプロテクタ３と、係止機構５０４と、連結バスバー５とを備える。
【００９０】
そして、係止機構５０４は、プロテクタ３をポスト立設面１０５上に係止するものである。本実施形態の係止機構５０４は、被連結部材としての据付トレイ１０８とプロテクタ３とを連結することでプロテクタ３をポスト立設面１０５上に係止する連結体５４１、５４２を含んで構成される。なお、据付トレイ１０８は、上述したように、バッテリー１００の鉛直方向下側に設けられ、当該バッテリー１００を車両の所定の位置に据え付ける部材である。つまり、この据付トレイ１０８は、バッテリー筐体１０１とは異なる部材であって車両の所定の位置に固定される固定部材である。
【００９１】
連結体５４１、５４２は、ともにプロテクタ３とは別体に構成されるベルト状の部材である。連結体５４１、５４２は、絶縁性の樹脂材によって板状に形成される。連結体５４１は、組み付け状態において、プロテクタ３のベース部３１の長辺方向に沿った縁部と据付トレイ１０８とを連結し、連結体５４２は、組み付け状態において、プロテクタ３のベース部３１の短辺方向に沿った縁部と据付トレイ１０８とを連結する。
【００９２】
連結体５４１、５４２とベース部３１との連結形式、及び、連結体５４１、５４２と据付トレイ１０８との連結形式は、種々の連結形式を用いることができる。ここでは、連結体５４１、５４２は、鉛直方向下端部がボルト５４１ａ、５４２ａ等を介して据付トレイ１０８に締結され連結される。また、連結体５４１、５４２は、それぞれ鉛直方向上端部がベース部３１の短辺方向に沿った縁部、及び、長辺方向に沿った縁部にそれぞれ形成された係合孔５３１ｅ、５３１ｆに挿入される。そして、連結体５４１、５４２は、当該鉛直方向上端部に形成された係合爪部５４１ｂ、５４２ｂが係合孔５３１ｅ、５３１ｆの縁部に係合することで、当該鉛直方向上端部とベース部３１とを連結する。連結体５４１、５４２は、ともにプロテクタ３のベース部３１と据付トレイ１０８とを連結した状態で鉛直方向に沿って延在する。この結果、係止機構５０４は、プロテクタ３がバッテリー１００のポスト立設面１０５上に組み付けられた状態でこの連結体５４１、５４２がプロテクタ３のベース部３１と据付トレイ１０８とを連結することで、プロテクタ３をポスト立設面１０５上に係止することができる。
【００９３】
以上で説明したヒューズユニット５０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット５０１からバッテリー端子１１０に作用する荷重を抑制することができるので、バッテリーポスト１０２に作用する荷重を抑制することができる。このとき、ヒューズユニット５０１は、係止機構５０４によって、プロテクタ３をヒュージブルリンク２と共にポスト立設面１０５上に確実に組み付けることができる。また、ヒューズユニット５０１は、バッテリー筐体１０１の側面側の周囲に当該ヒューズユニット５０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００９４】
さらに、以上で説明したヒューズユニット５０１は、係止機構５０４によって、プロテクタ３をヒュージブルリンク２と共にポスト立設面１０５上に確実に組み付けることができる。
【００９５】
さらに、以上で説明したヒューズユニット５０１によれば、係止機構５０４は、バッテリー筐体１０１以外の被連結部材としての据付トレイ１０８とプロテクタ３とを連結することでプロテクタ３をポスト立設面１０５上に係止する連結体５４１、５４２を含んで構成される。したがって、ヒューズユニット５０１は、連結体５４１、５４２がプロテクタ３と据付トレイ１０８とを連結することで、プロテクタ３をヒュージブルリンク２と共にポスト立設面１０５上に係止することができると共に汎用性を向上することができ、また、当該連結体５４１、５４２の部分で公差も吸収することができる。
【００９６】
なお、以上の説明では、バッテリー筐体１０１以外の被連結部材は、据付トレイ１０８であるものとして説明したがこれに限らず、連結体５４１、５４２を介してプロテクタ３を支持しポスト立設面１０５上に確実に係止することができるものであればよく、例えば、車両の構造部材自体であってもよい。
【００９７】
また、連結体５４１、５４２とプロテクタ３、据付トレイ１０８との連結形式は、上記に限らない。連結体５４１、５４２は、例えば、鉛直方向上端部がボルト等を介してプロテクタ３のベース部３１に締結され連結されてもよい。また、連結体５４１、５４２は、例えば、鉛直方向下端部が据付トレイ１０８と筐体本体１０３との隙間に挿入されると共に当該鉛直方向下端部が弾性部材等によって据付トレイ１０８側に押し付けられることで据付トレイ１０８に連結されてもよい。
【００９８】
また、図２８に例示する変形例に示すように、以上で説明した係止機構５０４を上述したヒューズユニット２０１に適用してヒューズユニット５０１Ａを構成してもよい。この場合であっても、ヒューズユニット５０１Ａは、連結体５４１、５４２がプロテクタ３と据付トレイ１０８とを連結することで、プロテクタ３をポスト立設面１０５上に係止することができ、当該プロテクタ３をヒュージブルリンク２と共にポスト立設面１０５上に確実に組み付けることができる。
【００９９】
［実施形態６］
図２９は、実施形態６に係るヒューズユニットの係止力調節機構近傍の分解斜視図である。図３０は、実施形態６に係るヒューズユニットの係止力調節機構近傍の部分斜視図である。図３１は、実施形態６に係るヒューズユニットの楔部材を含む部分断面図である。実施形態６に係るヒューズユニットは、係止力調節機構の構成が実施形態３とは異なる。その他、上述した実施形態と共通する構成、作用、効果については、重複した説明はできるだけ省略し、概略構成については、適宜他図を参照する。
【０１００】
本実施形態に係るヒューズユニット６０１は、図２９、図３０、図３１に示すように、上述したヒュージブルリンク２と、保持機構としてのプロテクタ３と、係止機構４と、連結バスバー５とに加えて、さらに、係止力調節機構６０８を備える。係止力調節機構６０８は、係止機構４を構成する係止爪部４１、４２によってプロテクタ３をポスト立設面１０５上に係止する係止力を調節可能な機構である。
【０１０１】
なお、本実施形態の係止爪部４１、４２は、実施形態１と同様に、それぞれ組み付け状態で鉛直方向に沿って延在する板状部（アーム部）４１ａ、４２ａを介してプロテクタ３のベース部３１、及び、保持部３２と一体で形成される。ここでは、係止爪部４１、４２は、バッテリー筐体１０１において、蓋部材１０４の縁部の鉛直方向下端面と係合する。係止機構４は、プロテクタ３がバッテリー１００のポスト立設面１０５上に組み付けられた状態でこの係止爪部４１、４２が蓋部材１０４の鉛直方向下端面の所定の位置に係合することで、プロテクタ３をポスト立設面１０５上に係止しロックすることができる。
【０１０２】
本実施形態の係止力調節機構６０８は、係止爪部４１に対応する部分、及び、係止爪部４２に対応する部分にそれぞれ設けられる。なおここでは、図３１に示す部分断面図は、係止爪部４２側の係止力調節機構６０８を図示しているが、係止爪部４１側の係止力調節機構６０８もこれとほぼ同様の構成であるので図示を省略している。
【０１０３】
各係止力調節機構６０８は、プロテクタ３とバッテリー筐体１０１との間に介在する楔部材６０８ａを有する。ここでは、各係止力調節機構６０８は、当該楔部材６０８ａをプロテクタ３とバッテリー筐体１０１との間に挿入可能とする挿入孔６０８ｂを含んで構成される。
【０１０４】
各楔部材６０８ａは、矩形棒状の基部６０８ｃと、当該基部６０８ｃと一体で形成される楔部６０８ｄとを有する。楔部６０８ｄは、基部６０８ｃを基端部とし当該基部６０８ｃから突出し、先端部側が先細りの形状となっている。ここでは、楔部６０８ｄは、基部６０８ｃから三又に分かれている。各挿入孔６０８ｂは、板状部４１ａ、４２ａとベース部３１とが交わる部分に形成されている。
【０１０５】
より詳細には、係止爪部４１側の係止力調節機構６０８の挿入孔６０８ｂは、板状部４１ａとベース部３１の長辺方向に沿った縁部との接続部分に形成される。当該係止爪部４１側の係止力調節機構６０８の挿入孔６０８ｂは、短辺方向に沿って楔部材６０８ａの楔部６０８ｄを挿入可能であり、かつ、当該楔部６０８ｄの先端がバッテリー筐体１０１の蓋部材１０４とベース部３１との間に挿入される位置に形成される（図３１等参照）。
【０１０６】
同様に、係止爪部４２側の係止力調節機構６０８の挿入孔６０８ｂは、板状部４２ａとベース部３１の短辺方向に沿った縁部との接続部分に形成される。当該係止爪部４２側の係止力調節機構６０８の挿入孔６０８ｂは、長辺方向に沿って楔部材６０８ａの楔部６０８ｄを挿入可能であり、かつ、当該楔部６０８ｄの先端がバッテリー筐体１０１の蓋部材１０４とベース部３１との間に挿入される位置に形成される（図３１等参照）。
【０１０７】
なお、各挿入孔６０８ｂは、各楔部材６０８ａが最も押し込まれた状態で、各楔部材６０８ａの全体が各挿入孔６０８ｂ内に収まるような形状に形成される（図３０、図３１等参照）。
【０１０８】
上記の構成により、各係止力調節機構６０８は、図２９、図３０に示すように、各楔部材６０８ａが各挿入孔６０８ｂに挿入され、各楔部材６０８ａの先端がプロテクタ３のベース部３１とバッテリー筐体１０１の蓋部材１０４との間に介在することで、蓋部材１０４に対してプロテクタ３を鉛直方向上側に持ち上げるようにして相対移動させることができる。これにより、各係止力調節機構６０８は、プロテクタ３のベース部３１、保持部３２と一体で形成される係止爪部４１、４２を、蓋部材１０４の縁部の鉛直方向下端面に対して、鉛直方向上側に確実に押し付けることができるので、係止爪部４１、４２が蓋部材１０４に係合する力を相対的に大きくすることができる。したがって、各係止力調節機構６０８は、このことを利用して、楔部材６０８ａがプロテクタ３とバッテリー筐体１０１との間に介在することで、係止爪部４１、４２によってプロテクタ３をポスト立設面１０５上に係止する係止力を相対的に大きくすることができる。
【０１０９】
以上で説明したヒューズユニット６０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット６０１からバッテリー端子１１０に作用する荷重を抑制することができるので、バッテリーポスト１０２に作用する荷重を抑制することができる。このとき、ヒューズユニット６０１は、係止機構４によって、プロテクタ３をヒュージブルリンク２と共にポスト立設面１０５上に確実に組み付けることができる。また、ヒューズユニット６０１は、バッテリー筐体１０１の側面側の周囲に当該ヒューズユニット６０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【０１１０】
さらに、以上で説明したヒューズユニット６０１は、プロテクタ３をポスト立設面１０５上に組み付けた後に、係止力調節機構６０８によって係止爪部４１、４２による係止力を相対的に大きくすることで、プロテクタ３をヒュージブルリンク２と共にポスト立設面１０５上により確実に係止することができる。
【０１１１】
さらに、以上で説明したヒューズユニット６０１によれば、係止爪部４１、４２は、プロテクタ３と一体で形成され、係止力調節機構６０８は、プロテクタ３とバッテリー筐体１０１との間に介在する楔部材６０８ａを有し、楔部材６０８ａがプロテクタ３とバッテリー筐体１０１との間に介在することで係止力を相対的に大きくする。したがって、ヒューズユニット６０１は、各係止力調節機構６０８において、楔部材６０８ａがプロテクタ３とバッテリー筐体１０１との間に介在することで、係止爪部４１、４２による係止力を相対的に大きくすることができる。この結果、ヒューズユニット６０１は、係止爪部４１、４２によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構６０８の部分で公差も吸収することができる。
【０１１２】
なお、以上で説明した係止力調節機構６０８を上述したヒューズユニット２０１に適用してもよい。この場合であっても、ヒューズユニット２０１は、プロテクタ３をポスト立設面１０５上により確実に係止することができる。
【０１１３】
［実施形態７］
図３２は、実施形態７に係るヒューズユニットの係止力調節機構近傍の分解斜視図である。図３３は、実施形態７に係るヒューズユニットの係止力調節機構近傍の部分斜視図である。図３４は、実施形態７に係るヒューズユニットの楔部材を含む部分断面図である。実施形態７に係るヒューズユニットは、楔部材の挿入方向が実施形態６とは異なる。その他、上述した実施形態と共通する構成、作用、効果については、重複した説明はできるだけ省略し、概略構成については、適宜他図を参照する。
【０１１４】
本実施形態に係るヒューズユニット７０１は、図３２、図３３、図３４に示すように、上述したヒュージブルリンク２と、保持機構としてのプロテクタ３と、係止機構７０４と、連結バスバー５とに加えて、さらに、係止力調節機構７０８を備える。係止力調節機構７０８は、係止機構７０４を構成する係止爪部４１、４２によってプロテクタ３をポスト立設面１０５上に係止する係止力を調節可能な機構である。
【０１１５】
なお、本実施形態の係止機構７０４の係止爪部４１、４２は、実施形態１と同様に、それぞれ組み付け状態で鉛直方向に沿って延在する板状部（アーム部）４１ａ、４２ａを介してプロテクタ３のベース部３１、及び、保持部３２と一体で形成される。ただし、本実施形態の係止機構７０４は、係止爪部４１、４２の先端部にさらに背面突起部７４５が設けられている（図３４参照）。背面突起部７４５は、例えば、図３４に図示するように、係止爪部４２の先端部に鉛直方向（軸方向）に沿って突出する突起部として形成される。図示は省略するが、係止爪部４１にも同様の背面突起部７４５が形成されている。そして、この係止機構７０４は、長辺方向に対して係止爪部４２の背面突起部７４５と板状部４２ａとの間に蓋部材１０４の縁部の鉛直方向下端部を挟み込み、短辺方向に対して係止爪部４１の背面突起部７４５と板状部４１ａとの間に蓋部材１０４の縁部の鉛直方向下端部を挟み込むようにして、当該係止爪部４１、４２が蓋部材１０４の縁部の鉛直方向下端面と係合する。係止機構７０４は、プロテクタ３がバッテリー１００のポスト立設面１０５上に組み付けられた状態でこの係止爪部４１、４２が上記のように蓋部材１０４の鉛直方向下端面の所定の位置に係合することで、プロテクタ３をポスト立設面１０５上に係止しロックすることができる。
【０１１６】
そして、本実施形態の係止力調節機構７０８は、係止爪部４１に対応する部分、及び、係止爪部４２に対応する部分にそれぞれ設けられる。なおここでは、図３４に示す部分断面図は、係止爪部４２側の係止力調節機構７０８を図示しているが、係止爪部４１側の係止力調節機構７０８もこれとほぼ同様の構成であるので図示を省略している。
【０１１７】
各係止力調節機構７０８は、プロテクタ３と一体の部材とバッテリー筐体１０１との間に介在する楔部材６０８ａを有する。ここでは、各係止力調節機構７０８は、当該楔部材６０８ａをプロテクタ３と一体の部材とバッテリー筐体１０１との間に挿入可能とする挿入孔７０８ｂを含んで構成される。楔部材６０８ａは、上述した係止力調節機構６０８の楔部材６０８ａと同様の構成である。各挿入孔７０８ｂは、板状部４１ａ、４２ａとベース部３１とが交わる部分に形成されている。
【０１１８】
より詳細には、係止爪部４１側の係止力調節機構７０８の挿入孔７０８ｂは、板状部４１ａとベース部３１の長辺方向に沿った縁部との接続部分に形成される。当該係止爪部４１側の係止力調節機構７０８の挿入孔７０８ｂは、軸方向（鉛直方向）に沿って楔部材６０８ａの楔部６０８ｄを挿入可能であり、かつ、当該楔部６０８ｄの先端がバッテリー筐体１０１の蓋部材１０４と、ベース部３１と一体の部材である板状部４１ａとの間に挿入される位置に形成される（図３４等参照）。
【０１１９】
同様に、係止爪部４２側の係止力調節機構７０８の挿入孔７０８ｂは、板状部４２ａとベース部３１の短辺方向に沿った縁部との接続部分に形成される。当該係止爪部４２側の係止力調節機構７０８の挿入孔７０８ｂは、軸方向（鉛直方向）に沿って楔部材６０８ａの楔部６０８ｄを挿入可能であり、かつ、当該楔部６０８ｄの先端がバッテリー筐体１０１の蓋部材１０４と、ベース部３１と一体の部材である板状部４２ａとの間に挿入される位置に形成される（図３４等参照）。
【０１２０】
なお、各挿入孔７０８ｂは、各楔部材６０８ａが最も押し込まれた状態で、各楔部材６０８ａの全体が各挿入孔７０８ｂ内に収まるような形状に形成される（図３３、図３４等参照）。
【０１２１】
上記の構成により、各係止力調節機構７０８は、図３２、図３３に示すように、各楔部材６０８ａが各挿入孔７０８ｂに挿入され、各楔部材６０８ａの先端がプロテクタ３のベース部３１と一体の部材である板状部４１ａ、４２ａと、バッテリー筐体１０１の蓋部材１０４との間に介在することで、蓋部材１０４に対してプロテクタ３を長辺方向、あるいは、短辺方向に相対移動させることができる。これにより、各係止力調節機構７０８は、プロテクタ３のベース部３１、保持部３２と一体で形成される係止爪部４１、４２の各背面突起部７４５を、蓋部材１０４の縁部の鉛直方向下端部に対して確実に押し付けることができるので、係止爪部４１、４２の各背面突起部７４５が蓋部材１０４に係合する力を相対的に大きくすることができる。したがって、各係止力調節機構７０８は、このことを利用して、楔部材６０８ａが、プロテクタ３と一体の板状部４１ａ、４２ａとバッテリー筐体１０１との間に介在することで、係止爪部４１、４２によってプロテクタ３をポスト立設面１０５上に係止する係止力を相対的に大きくすることができる。
【０１２２】
以上で説明したヒューズユニット７０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット７０１からバッテリー端子１１０に作用する荷重を抑制することができるので、バッテリーポスト１０２に作用する荷重を抑制することができる。このとき、ヒューズユニット７０１は、係止機構７０４によって、プロテクタ３をヒュージブルリンク２と共にポスト立設面１０５上に確実に組み付けることができる。また、ヒューズユニット７０１は、バッテリー筐体１０１の側面側の周囲に当該ヒューズユニット７０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【０１２３】
さらに、以上で説明したヒューズユニット７０１は、プロテクタ３をポスト立設面１０５上に組み付けた後に、係止力調節機構７０８によって係止爪部４１、４２による係止力を相対的に大きくすることで、プロテクタ３をヒュージブルリンク２と共にポスト立設面１０５上により確実に係止することができる。
【０１２４】
さらに、以上で説明したヒューズユニット７０１によれば、係止爪部４１、４２は、プロテクタ３と一体で形成され、係止力調節機構７０８は、プロテクタ３と一体の板状部４１ａ、４２ａとバッテリー筐体１０１との間に介在する楔部材６０８ａを有し、楔部材６０８ａが、プロテクタ３と一体の板状部４１ａ、４２ａとバッテリー筐体１０１との間に介在することで係止力を相対的に大きくする。したがって、ヒューズユニット７０１は、各係止力調節機構７０８において、楔部材６０８ａが、プロテクタ３と一体の板状部４１ａ、４２ａとバッテリー筐体１０１との間に介在することで、係止爪部４１、４２による係止力を相対的に大きくすることができる。この結果、ヒューズユニット７０１は、係止爪部４１、４２によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構７０８の部分で公差も吸収することができる。
【０１２５】
なお、以上で説明した係止力調節機構７０８を上述したヒューズユニット２０１に適用してもよい。この場合であっても、ヒューズユニット２０１は、プロテクタ３をポスト立設面１０５上により確実に係止することができる。
【０１２６】
［実施形態８］
図３５は、実施形態８に係るヒューズユニットの係止力調節機構近傍の分解斜視図である。図３６は、実施形態８に係るヒューズユニットの係止力調節機構近傍の部分斜視図である。図３７は、実施形態８に係るヒューズユニットの螺合部材を含む部分断面図である。実施形態８に係るヒューズユニットは、係止力調節機構の構成が実施形態３とは異なる。その他、上述した実施形態と共通する構成、作用、効果については、重複した説明はできるだけ省略し、概略構成については、適宜他図を参照する。
【０１２７】
本実施形態に係るヒューズユニット８０１は、図３５、図３６、図３７に示すように、上述したヒュージブルリンク２と、保持機構としてのプロテクタ３と、係止機構４と、連結バスバー５とに加えて、さらに、係止力調節機構８０８を備える。係止力調節機構８０８は、係止機構４を構成する係止爪部４１、４２によってプロテクタ３をポスト立設面１０５上に係止する係止力を調節可能な機構である。
【０１２８】
なお、本実施形態の係止爪部４１、４２は、実施形態１と同様に、それぞれ組み付け状態で鉛直方向に沿って延在する板状部（アーム部）４１ａ、４２ａを介してプロテクタ３のベース部３１、及び、保持部３２と一体で形成される。ここでは、係止爪部４１、４２は、バッテリー筐体１０１において、蓋部材１０４の縁部の鉛直方向下端面と係合する。係止機構４は、プロテクタ３がバッテリー１００のポスト立設面１０５上に組み付けられた状態でこの係止爪部４１、４２が蓋部材１０４の鉛直方向下端面の所定の位置に係合することで、プロテクタ３をポスト立設面１０５上に係止しロックすることができる。
【０１２９】
本実施形態の係止力調節機構８０８は、プロテクタ３に螺合すると共に、螺合動作に伴って先端がバッテリー筐体１０１と当接しプロテクタ３がバッテリー筐体１０１から離間する方向に当該バッテリー筐体１０１を押圧する螺合部材８０８ａを有する。ここでは、係止力調節機構８０８は、プロテクタ３に形成され、当該螺合部材８０８ａが螺合可能である螺合孔８０８ｂを含んで構成される。
【０１３０】
螺合孔８０８ｂは、組み付け状態において、ベース部３１の長辺方向に沿った縁部と短辺方向に沿った縁部とが交わる出隅部に１つ、当該出隅部の螺合孔８０８ｂに対して長辺方向に間隔をあけて１つ、当該出隅部の螺合孔８０８ｂに対して短辺方向に等間隔で間をあけて２つ、合計４つが設けられる。螺合孔８０８ｂは、ベース部３１を貫通すると共に、内周面に螺合部材８０８ａが螺合可能な螺合溝が形成される。螺合部材８０８ａは、例えば、ボルト等によって構成され、４つの螺合孔８０８ｂに対して１つずつ、合計４つ設けられる。本実施形態の係止力調節機構８０８は、１つの螺合部材８０８ａと１つの螺合孔８０８ｂとを一対として、当該一対の螺合部材８０８ａ、螺合孔８０８ｂが合計で４組設けられる。
【０１３１】
上記の構成により、係止力調節機構８０８は、螺合部材８０８ａがプロテクタ３の螺合孔８０８ｂに螺合すると共に、螺合動作に伴って先端がバッテリー筐体１０１の蓋部材１０４の鉛直方向上面と当接しプロテクタ３が蓋部材１０４から離間する方向に当該蓋部材１０４を押圧することで、蓋部材１０４に対してプロテクタ３を鉛直方向上側に持ち上げるようにして相対移動させることができる。これにより、係止力調節機構８０８は、プロテクタ３のベース部３１、保持部３２と一体で形成される係止爪部４１、４２を、蓋部材１０４の縁部の鉛直方向下端面に対して、鉛直方向上側に確実に押し付けることができるので、係止爪部４１、４２が蓋部材１０４に係合する力を相対的に大きくすることができる。したがって、係止力調節機構８０８は、このことを利用して、螺合部材８０８ａによってプロテクタ３がバッテリー筐体１０１から離間する方向に当該バッテリー筐体１０１を押圧することで、係止爪部４１、４２によってプロテクタ３をポスト立設面１０５上に係止する係止力を相対的に大きくすることができる。
【０１３２】
以上で説明したヒューズユニット８０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット８０１からバッテリー端子１１０に作用する荷重を抑制することができるので、バッテリーポスト１０２に作用する荷重を抑制することができる。このとき、ヒューズユニット８０１は、係止機構４によって、プロテクタ３をヒュージブルリンク２と共にポスト立設面１０５上に確実に組み付けることができる。また、ヒューズユニット８０１は、バッテリー筐体１０１の側面側の周囲に当該ヒューズユニット８０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【０１３３】
さらに、以上で説明したヒューズユニット８０１は、プロテクタ３をポスト立設面１０５上に組み付けた後に、係止力調節機構８０８によって係止爪部４１、４２による係止力を相対的に大きくすることで、プロテクタ３をヒュージブルリンク２と共にポスト立設面１０５上により確実に係止することができる。
【０１３４】
さらに、以上で説明したヒューズユニット８０１によれば、係止爪部４１、４２は、プロテクタ３と一体で形成され、係止力調節機構８０８は、プロテクタ３に螺合すると共に、螺合動作に伴って先端がバッテリー筐体１０１と当接しプロテクタ３がバッテリー筐体１０１から離間する方向に当該バッテリー筐体１０１を押圧する螺合部材８０８ａを有し、螺合部材８０８ａによってプロテクタ３がバッテリー筐体１０１から離間する方向に当該バッテリー筐体１０１を押圧することで、係止力を相対的に大きくする。したがって、ヒューズユニット８０１は、係止力調節機構８０８において、プロテクタ３に螺合された螺合部材８０８ａがバッテリー筐体１０１を押圧することで、係止爪部４１、４２による係止力を相対的に大きくすることができる。この結果、ヒューズユニット８０１は、係止爪部４１、４２によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構８０８の部分で公差も吸収することができる。
【０１３５】
なお、以上で説明した係止力調節機構８０８を上述したヒューズユニット２０１に適用してもよい。この場合であっても、ヒューズユニット２０１は、プロテクタ３をポスト立設面１０５上により確実に係止することができる。
【０１３６】
［実施形態９］
図３８は、実施形態９に係るヒューズユニットの係止力調節機構近傍の部分斜視図である。図３９は、実施形態９に係るヒューズユニットの係止爪部を含む部分断面図である。実施形態９に係るヒューズユニットは、係止力調節機構の構成が実施形態３とは異なる。その他、上述した実施形態と共通する構成、作用、効果については、重複した説明はできるだけ省略し、概略構成については、適宜他図を参照する。
【０１３７】
本実施形態に係るヒューズユニット９０１は、図３８、図３９に示すように、上述したヒュージブルリンク２と、保持機構としてのプロテクタ３と、係止機構４と、連結バスバー５とに加えて、さらに、係止力調節機構９０８を備える。係止力調節機構９０８は、係止機構４を構成する係止爪部４１、４２によってプロテクタ３をポスト立設面１０５上に係止する係止力を調節可能な機構である。
【０１３８】
ここで、本実施形態の係止爪部４１、４２は、それぞれプロテクタ３とは別体に形成される。より詳細には、本実施形態の係止爪部４１、４２は、それぞれ板状部（アーム部）９４１ａ、９４２ａの先端部に板状部９４１ａ、９４２ａと一体で形成される。ここでは、板状部９４１ａ、９４２ａは、プロテクタ３のベース部３１、及び、保持部３２とは別体に形成される。係止爪部４１、４２は、それぞれ板状部９４１ａ、９４２ａの先端部（プロテクタ３がバッテリー１００のポスト立設面１０５上に組み付けられた状態で鉛直方向下側の端部）が曲がったようなフック状、あるいは、鉤状に形成される（図３９等参照）。また、板状部９４１ａ、９４２ａは、それぞれ主面にブラケット９４１ｃ、９４２ｃが一体的に設けられる。板状部９４１ａ、９４２ａは、それぞれブラケット９４１ｃ、９４２ｃ、及び、後述の連結部材９０８ａを介してプロテクタ３のベース部３１に連結されている。
【０１３９】
本実施形態の係止力調節機構９０８は、係止爪部４１側と係止爪部４２側とにそれぞれ設けられる。なおここでは、図３９に示す拡大部分断面図は、係止爪部４２側の係止力調節機構９０８を図示しているが、係止爪部４１側の係止力調節機構９０８もこれとほぼ同様の構成であるので図示を省略している。
【０１４０】
各係止力調節機構９０８は、プロテクタ３と係止爪部４１、４２とを連結すると共に軸周りの回転に伴ってプロテクタ３と係止爪部４１、４２との間隔を可変とする連結部材９０８ａを有する。各連結部材９０８ａは、例えば、ボルト等によって構成される。各連結部材９０８ａは、それぞれベース部３１に形成された受け部９３１ｇ、９３１ｈに支持される。受け部９３１ｇは、係止爪部４１側の係止力調節機構９０８の連結部材９０８ａを支持するものであり、係止爪部４１に対応して、ベース部３１の長辺方向に沿った縁部に形成される。受け部９３１ｈは、係止爪部４２側の係止力調節機構９０８の連結部材９０８ａを支持するものであり、係止爪部４２に対応して、ベース部３１の短辺方向に沿った縁部に形成される。受け部９３１ｇ、９３１ｈは、それぞれ各連結部材９０８ａを、鉛直方向（軸方向）に沿った回転軸線を回転軸として回転可能に支持する。各連結部材９０８ａは、受け部９３１ｇ、９３１ｈに支持された状態で、ボルト頭が受け部９３１ｇ、９３１ｈ上に位置すると共に、螺合溝が形成された軸部が鉛直方向下側に延在する。また、上述のブラケット９４１ｃ、９４２ｃには、それぞれナット９０８ｂが固定されており、各連結部材９０８ａは、先端部（プロテクタ３がバッテリー１００のポスト立設面１０５上に組み付けられた状態で鉛直方向下側の端部）がこのナット９０８ｂに螺合する。これにより、各連結部材９０８ａは、ブラケット９４１ｃ、９４２ｃ、板状部９４１ａ、９４２ａ等を介して係止爪部４１、４２とプロテクタ３のベース部３１とを連結することができる。
【０１４１】
係止爪部４１及び板状部９４１ａは、組み付け状態で、かつ、連結部材９０８ａでベース部３１に連結された状態で、バッテリー筐体１０１の蓋部材１０４の長辺方向に沿った側面、ここでは、蓋部材１０４のポスト立設面１０５に形成された凹部１０６近傍の長辺方向に沿った側面と対向する位置に形成される。この状態で、係止爪部４１及び板状部９４１ａは、長辺方向に沿って延在して形成され、連結部材９０８ａは、鉛直方向に沿って延在する。係止爪部４２及び板状部９４２ａは、組み付け状態で、かつ、連結部材９０８ａでベース部３１に連結された状態で、バッテリー筐体１０１の蓋部材１０４の短辺方向に沿った側面、ここでは、蓋部材１０４のポスト立設面１０５に形成された凹部１０６近傍の短辺方向に沿った側面と対向する位置に形成される。この状態で、係止爪部４２及び板状部９４２ａは、短辺方向に沿って延在して形成され、連結部材９０８ａは、鉛直方向に沿って延在する。
【０１４２】
上記の構成により、各係止力調節機構９０８は、各連結部材９０８ａがプロテクタ３と係止爪部４１、４２とを連結すると共に当該各連結部材９０８ａが軸周りに回転することでプロテクタ３と係止爪部４１、４２との間隔を可変とすることができる。各係止力調節機構９０８は、例えば、各連結部材９０８ａを所定の方向に回転させることで、プロテクタ３と係止爪部４１、４２との間隔を相対的に狭くすることができ、言い換えれば、係止爪部４１、４２を鉛直方向上側に持ち上げてプロテクタ３側に接近するように相対移動させることができる。これにより、係止力調節機構９０８は、係止爪部４１、４２を、蓋部材１０４の縁部の鉛直方向下端面に対して、鉛直方向上側に確実に押し付けることができるので、係止爪部４１、４２が蓋部材１０４に係合する力を相対的に大きくすることができる。したがって、係止力調節機構９０８は、係止爪部４１、４２によってプロテクタ３をポスト立設面１０５上に係止する係止力を相対的に大きくすることができる。
【０１４３】
以上で説明したヒューズユニット９０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット９０１からバッテリー端子１１０に作用する荷重を抑制することができるので、バッテリーポスト１０２に作用する荷重を抑制することができる。このとき、ヒューズユニット９０１は、係止機構４によって、プロテクタ３をヒュージブルリンク２と共にポスト立設面１０５上に確実に組み付けることができる。また、ヒューズユニット９０１は、バッテリー筐体１０１の側面側の周囲に当該ヒューズユニット９０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【０１４４】
さらに、以上で説明したヒューズユニット９０１は、プロテクタ３をポスト立設面１０５上に組み付けた後に、係止力調節機構９０８によって係止爪部４１、４２による係止力を相対的に大きくすることで、プロテクタ３をヒュージブルリンク２と共にポスト立設面１０５上により確実に係止することができる。
【０１４５】
さらに、以上で説明したヒューズユニット９０１によれば、係止爪部４１、４２は、プロテクタ３とは別体に形成され、係止力調節機構９０８は、プロテクタ３と係止爪部４１、４２とを連結すると共に軸周りの回転に伴ってプロテクタ３と係止爪部４１、４２との間隔を可変とする連結部材９０８ａを有し、連結部材９０８ａがプロテクタ３と係止爪部４１、４２との間隔を相対的に狭くすることで、係止力を相対的に大きくする。したがって、ヒューズユニット９０１は、係止力調節機構９０８において、連結部材９０８ａがプロテクタ３と係止爪部４１、４２との間隔を相対的に狭くすることで、係止爪部４１、４２による係止力を相対的に大きくすることができる。この結果、ヒューズユニット９０１は、係止爪部４１、４２によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構９０８の部分で公差も吸収することができる。
【０１４６】
なお、以上で説明した係止力調節機構９０８を上述したヒューズユニット２０１に適用してもよい。この場合であっても、ヒューズユニット２０１は、プロテクタ３をポスト立設面１０５上により確実に係止することができる。
【０１４７】
［実施形態１０］
図４０、図４２は、実施形態１０に係るヒューズユニットの係止力調節機構近傍の部分斜視図である。図４１、図４３は、実施形態１０に係るヒューズユニットの係止力調節機構近傍の部分側面図である。実施形態１０に係るヒューズユニットは、係止力調節機構の構成が実施形態３とは異なる。その他、上述した実施形態と共通する構成、作用、効果については、重複した説明はできるだけ省略し、概略構成については、適宜他図を参照する。
【０１４８】
本実施形態に係るヒューズユニット１００１は、図４０、図４１、図４２、図４３に示すように、上述したヒュージブルリンク２（図１等参照）と、保持機構としてのプロテクタ３と、係止機構４と、連結バスバー５（図１等参照）とに加えて、さらに、係止力調節機構１００８を備える。係止力調節機構１００８は、係止機構４を構成する係止爪部４１、４２によってプロテクタ３をポスト立設面１０５上に係止する係止力を調節可能な機構である。
【０１４９】
ここで、本実施形態の係止爪部４１、４２は、それぞれプロテクタ３とは別体に形成される。より詳細には、本実施形態の係止爪部４１、４２は、それぞれ板状部（アーム部）１０４１ａ、１０４２ａの先端部に板状部１０４１ａ、１０４２ａと一体で形成される。ここでは、板状部１０４１ａ、１０４２ａは、プロテクタ３のベース部３１、及び、保持部３２とは別体に形成される。係止爪部４１、４２は、それぞれ板状部１０４１ａ、１０４２ａの先端部（プロテクタ３がバッテリー１００のポスト立設面１０５上に組み付けられた状態で鉛直方向下側の端部）が曲がったようなフック状、あるいは、鉤状に形成される（図４１、図４３等参照）。
【０１５０】
本実施形態の係止力調節機構１００８は、係止爪部４１側と係止爪部４２側とにそれぞれ設けられる。なおここでは、図４０、図４１、図４２、図４３は、係止爪部４２側の係止力調節機構１００８を図示しているが、係止爪部４１側の係止力調節機構１００８もこれとほぼ同様の構成であるので図示を省略している。
【０１５１】
各係止力調節機構１００８は、係止爪部４１、４２側に設けられた軸部１００８ｂに対して当該軸部１００８ｂ周りに回転可能に連結されると共に、外面がプロテクタ３と当接し、軸部１００８ｂ周りの回転に伴ってプロテクタ３との当接位置から軸部１００８ｂまでの距離が変化する扁平レバー１００８ａを有する。ここで、各軸部１００８ｂは、それぞれ係止爪部４１、４２と一体で形成される板状部１０４１ａ、１０４２ａの上端部（プロテクタ３がバッテリー１００のポスト立設面１０５上に組み付けられた状態で鉛直方向上側の端部）に設けられる。より詳細には、各板状部１０４１ａ、１０４２ａは、鉛直方向上側の端面から鉛直方向上側に向けて突出する突出端部１００８ｃを有し、この突出端部１００８ｃの鉛直方向上端部に上記各軸部１００８ｂが設けられる。各突出端部１００８ｃは、プロテクタ３のベース部３１に形成された貫通孔１００８ｄにそれぞれ挿入される。係止爪部４２側の係止力調節機構１００８の貫通孔１００８ｄは、係止爪部４２に対応して、ベース部３１の短辺方向に沿った縁部に形成される。図示は省略するが、係止爪部４１側の係止力調節機構１００８の貫通孔１００８ｄは、係止爪部４１に対応して、ベース部３１の長辺方向に沿った縁部に形成される。各貫通孔１００８ｄは、ベース部３１を鉛直方向に貫通している。各突出端部１００８ｃは、各貫通孔１００８ｄに挿入された状態で、各軸部１００８ｂが各貫通孔１００８ｄの鉛直方向上側に位置すると共に、係止爪部４１、４２側の部分が鉛直方向下側に延在する。各扁平レバー１００８ａは、各軸部１００８ｂに対して、当該軸部１００８ｂ周りに回転可能に連結される。係止爪部４２側の係止力調節機構１００８は、扁平レバー１００８ａの回転軸線が短辺方向に沿うような位置関係で軸部１００８ｂ等の各要素が配置される。図示は省略するが、同様に、係止爪部４１側の係止力調節機構１００８は、扁平レバー１００８ａの回転軸線が長辺方向に沿うような位置関係で軸部１００８ｂ等の各要素が配置される。扁平レバー１００８ａは、樹脂製であってもよいし、金属製であってもよい。
【０１５２】
係止爪部４２及び板状部１０４２ａは、組み付け状態で、かつ、板状部１０４２ａが軸部１００８ｂを介して扁平レバー１００８ａに組み付けられた状態で、バッテリー筐体１０１の蓋部材１０４の短辺方向に沿った側面、ここでは、蓋部材１０４のポスト立設面１０５に形成された凹部１０６近傍の短辺方向に沿った側面と対向する位置に形成される。係止爪部４２及び板状部１０４２ａは、この状態で、短辺方向に沿って延在して形成される。図示は省略するが、係止爪部４１及び板状部１０４１ａは、組み付け状態で、かつ、板状部１０４１ａが軸部１００８ｂを介して扁平レバー１００８ａに組み付けられた状態で、バッテリー筐体１０１の蓋部材１０４の長辺方向に沿った側面、ここでは、蓋部材１０４のポスト立設面１０５に形成された凹部１０６近傍の長辺方向に沿った側面と対向する位置に形成される。係止爪部４１及び板状部１０４１ａは、この状態で、長辺方向に沿って延在して形成される。
【０１５３】
そして、各扁平レバー１００８ａは、板状の部材（ここでは一部にスリットが設けられている）を湾曲させるようにして形成され、各軸部１００８ｂに連結された状態で、湾曲部分の外面がプロテクタ３のベース部３１の鉛直方向上面と当接する。そして、各扁平レバー１００８ａは、各軸部１００８ｂ周りに回転した際に、ベース部３１との当接位置から軸部１００８ｂまでの距離が変化するように、上記湾曲部分の曲率が設定される。ここでは、各扁平レバー１００８ａは、一方側に回転させると当接位置から軸部１００８ｂまでの距離が徐々に長くなる一方、他方側に回転させると当接位置から軸部１００８ｂまでの距離が徐々に短くなる。
【０１５４】
上記の構成により、各係止力調節機構１００８は、扁平レバー１００８ａの軸部１００８ｂ周りの回転に伴って、ベース部３１との当接位置から軸部１００８ｂまでの距離を相対的に長くし係止爪部４１、４２をプロテクタ３のベース部３１側に接近させることで、係止爪部４１、４２によってプロテクタ３をポスト立設面１０５上に係止する係止力を相対的に大きくすることができる。すなわち、各係止力調節機構１００８は、例えば、図４０、図４１に示すように、ベース部３１との当接位置から軸部１００８ｂまでの距離が相対的に短い状態から、図４２、図４３に示すように、扁平レバー１００８ａを回転させて（ここでは、引き倒すように回転させて）、ベース部３１との当接位置から軸部１００８ｂまでの距離が相対的に長くなるようにする。これにより、各係止力調節機構１００８は、各軸部１００８ｂをベース部３１に対して鉛直方向上側に持ち上げることができ、各軸部１００８ｂが設けられた板状部１０４１ａ、１０４２ａと一体に形成された係止爪部４１、４２を、鉛直方向上側に持ち上げてプロテクタ３側に接近するように相対移動させることができる。これにより、係止力調節機構１００８は、係止爪部４１、４２を、蓋部材１０４の縁部の鉛直方向下端面に対して、鉛直方向上側に確実に押し付けることができるので、係止爪部４１、４２が蓋部材１０４に係合する力を相対的に大きくすることができる。したがって、係止力調節機構１００８は、係止爪部４１、４２による係止力を相対的に大きくすることができる。
【０１５５】
以上で説明したヒューズユニット１００１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１００１からバッテリー端子１１０に作用する荷重を抑制することができるので、バッテリーポスト１０２に作用する荷重を抑制することができる。このとき、ヒューズユニット１００１は、係止機構４によって、プロテクタ３をヒュージブルリンク２と共にポスト立設面１０５上に確実に組み付けることができる。また、ヒューズユニット１００１は、バッテリー筐体１０１の側面側の周囲に当該ヒューズユニット１００１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【０１５６】
さらに、以上で説明したヒューズユニット１００１は、プロテクタ３をポスト立設面１０５上に組み付けた後に、係止力調節機構１００８によって係止爪部４１、４２による係止力を相対的に大きくすることで、プロテクタ３をヒュージブルリンク２と共にポスト立設面１０５上により確実に係止することができる。
【０１５７】
さらに、以上で説明したヒューズユニット１００１によれば、係止爪部４１、４２は、プロテクタ３とは別体に形成され、係止力調節機構１００８は、係止爪部４１、４２側に設けられた軸部１００８ｂに対して当該軸部１００８ｂ周りに回転可能に連結されると共に、外面がプロテクタ３と当接し、軸部１００８ｂ周りの回転に伴ってプロテクタ３との当接位置から軸部１００８ｂまでの距離が変化する扁平レバー１００８ａを有し、扁平レバー１００８ａの軸部１００８ｂ周りの回転に伴って、当接位置から軸部１００８ｂまでの距離を相対的に長くし係止爪部４１、４２をプロテクタ３側に接近させることで、係止力を相対的に大きくする。したがって、ヒューズユニット１００１は、係止力調節機構１００８において、扁平レバー１００８ａの軸部１００８ｂ周りの回転に伴って、当接位置から軸部１００８ｂまでの距離を相対的に長くし係止爪部４１、４２をプロテクタ３側に接近させることで、係止爪部４１、４２による係止力を相対的に大きくすることができる。この結果、ヒューズユニット１００１は、係止爪部４１、４２によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構１００８の部分で公差も吸収することができる。
【０１５８】
なお、以上で説明した係止力調節機構１００８を上述したヒューズユニット２０１に適用してもよい。この場合であっても、ヒューズユニット２０１は、プロテクタ３をポスト立設面１０５上により確実に係止することができる。
【０１５９】
［実施形態１１］
図４４は、実施形態１１に係るヒューズユニットの係止力調節機構を含む部分平面図である。図４５は、実施形態１１に係るヒューズユニットの係止力調節機構を含む部分断面図である。実施形態１１に係るヒューズユニットは、係止機構の係止爪部が設けられる位置、及び、係止力調節機構を備える点で実施形態１とは異なる。その他、上述した実施形態と共通する構成、作用、効果については、重複した説明はできるだけ省略し、概略構成については、適宜他図を参照する。
【０１６０】
本実施形態に係るヒューズユニット１１０１は、図４４、図４５に示すように、上述したヒュージブルリンク２と、保持機構としてのプロテクタ３と、係止機構１１０４と、連結バスバー５とに加えて、さらに、係止力調節機構１１０８を備える。係止力調節機構１１０８は、係止機構１１０４を構成する係止爪部４２、１１４３によってプロテクタ３をポスト立設面１０５上に係止する係止力を調節可能な機構である。
【０１６１】
ここで、係止機構１１０４は、プロテクタ３をポスト立設面１０５上に係止するものである。本実施形態の係止機構１１０４は、バッテリー筐体１０１と係合することでプロテクタ３をポスト立設面１０５上に係止する係止爪部４２、１１４３を含んで構成される。係止爪部４２、１１４３がバッテリー筐体１０１において互いに対向する２面、ここでは短辺方向に沿った２面に係合する。係止爪部４２は、上述したように、組み付け状態で、鉛直方向に沿って延在する板状部４２ａを介してプロテクタ３のベース部３１と一体で形成される。
【０１６２】
一方、本実施形態の係止爪部１１４３は、支持体１１４３ａを介してプロテクタ３のベース部３１、保持部３２に接続される。支持体１１４３ａは、組み付け状態において、ベース部３１、保持部３２から長辺方向に向けて延在する本体部１１４３ｂと、当該本体部１１４３ｂのプロテクタ３（ベース部３１、保持部３２）側の端部とは反対側の端部から鉛直方向下側に向けて延在する屈曲部１１４３ｃとを含んで構成される。
【０１６３】
ここでは、本体部１１４３ｂは、さらに、第１分割体１１４３ｄと第２分割体１１４３ｅとに分割されている。第１分割体１１４３ｄと第２分割体１１４３ｅは、一方が板状に形成され、他方が筒状に形成される。ここでは、第１分割体１１４３ｄが板状に形成され、第２分割体１１４３ｅが筒状に形成される。第１分割体１１４３ｄは、一方の端部にプロテクタ３のベース部３１、保持部３２が一体的に接続される。また、第２分割体１１４３ｅは、一方の端部に上述の屈曲部１１４３ｃが一体的に接続される。そして、第１分割体１１４３ｄと第２分割体１１４３ｅとは、第１分割体１１４３ｄの他方の端部が第２分割体１１４３ｅの他方の端部内に挿入され、当該他方の端部同士が後述の係止力調節機構１１０８を介して接続される。
【０１６４】
そして、本実施形態の係止爪部１１４３は、支持体１１４３ａの屈曲部１１４３ｃの先端部（プロテクタ３がバッテリー１００のポスト立設面１０５上に組み付けられた状態で鉛直方向下側の端部）に当該屈曲部１１４３ｃと一体で形成される。係止爪部１１４３は、屈曲部１１４３ｃの先端部が曲がったようなフック状、あるいは、鉤状に形成される。ここでは、係止爪部４２、１１４３は、バッテリー筐体１０１において、蓋部材１０４の短辺方向に沿った縁部の鉛直方向下端面と係合する。
【０１６５】
つまり、係止爪部４２は、プロテクタ３と一体で形成される第１係止爪部を構成する。一方、係止爪部１１４３は、プロテクタ３とは別体に形成されバッテリー筐体１０１において係止爪部４２が係合する面と対向する面に係合する第２係止爪部を構成する。言い換えれば、係止爪部４２と係止爪部１１４３とは、長辺方向に対向する位置関係となっている。そして、係止機構１１０４は、プロテクタ３がバッテリー１００のポスト立設面１０５上に組み付けられた状態でこの係止爪部４２、１１４３が蓋部材１０４の鉛直方向下端面の所定の位置に係合することで、プロテクタ３をポスト立設面１０５上に係止しロックすることができる。
【０１６６】
そして、本実施形態の係止力調節機構１１０８は、係止爪部４２側又は係止爪部１１４３側の一方に形成された第１段差１１０８ａと、係止爪部４２側又は係止爪部１１４３側の他方に、係止爪部４２と係止爪部１１４３とが対向する方向に沿って並んで形成された複数の第２段差１１０８ｂとを有する。
【０１６７】
ここでは、係止力調節機構１１０８は、図４５等に示すように、第１段差１１０８ａが係止爪部４２と一体的に接続される支持体１１４３ａの第１分割体１１４３ｄ側に設けられる一方、複数の第２段差１１０８ｂが係止爪部１１４３と一体的に接続される支持体１１４３ａの第２分割体１１４３ｅ側に設けられる。
【０１６８】
第１段差１１０８ａは、第１分割体１１４３ｄにおいて互いに対向する面、ここでは、長辺方向に沿いかつ短辺方向に対向する一対の端面にそれぞれ１つずつ設けられる。第１段差１１０８ａは、第１分割体１１４３ｄから突出した突出段差として形成される。複数の第２段差１１０８ｂは、第２分割体１１４３ｅの内面において、第１分割体１１４３ｄの第１段差１１０８ａが形成された面と対向する面にそれぞれ１組ずつ設けられる。つまり、複数の第２段差１１０８ｂは、長辺方向に沿いかつ短辺方向に対向する一対の内面にそれぞれ１組ずつ設けられる。各第２段差１１０８ｂは、それぞれ第２分割体１１４３ｅから突出した突出段差として形成される。複数の第２段差１１０８ｂは、各組において、係止爪部４２と係止爪部１１４３とが対向する方向、すなわち、長辺方向に沿って並んで形成される。
【０１６９】
第１段差１１０８ａと各第２段差１１０８ｂとは、係止爪部４２と係止爪部１１４３とを互いに接近させる方向に移動させ、係止爪部４２と係止爪部１１４３とによってバッテリー筐体１０１を挟み込む方向に移動させた際に各第２段差１１０８ｂが第１段差１１０８ａを乗り越える一方、係止爪部４２と係止爪部１１４３とを互いに離間させる方向に移動させ、係止爪部４２と係止爪部１１４３をバッテリー筐体１０１から引き離す方向に移動させようとした際に、いずれかの第２段差１１０８ｂが第１段差１１０８ａと当接し、係止爪部４２と係止爪部１１４３との相対移動が規制されるような断面形状に形成される。
【０１７０】
上記のような構成により、係止力調節機構１１０８は、第１段差１１０８ａと複数の第２段差１１０８ｂのいずれかとが噛み合うことで、係止爪部４２と係止爪部１１４３とが離間する側への移動を規制することができる。このことを利用して、係止力調節機構１１０８は、係止爪部４２と係止爪部１１４３とを可能な限り接近させ、係止爪部４２と係止爪部１１４３とによってバッテリー筐体１０１の蓋部材１０４を挟み込む力を相対的に大きくし、これにより、係止爪部４２と係止爪部１１４３によってプロテクタ３をポスト立設面１０５上に係止する係止力を相対的に大きくした上で、この状態を保持することができる。
【０１７１】
以上で説明したヒューズユニット１１０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１１０１からバッテリー端子１１０に作用する荷重を抑制することができるので、バッテリーポスト１０２に作用する荷重を抑制することができる。このとき、ヒューズユニット１１０１は、係止機構１１０４によって、プロテクタ３をヒュージブルリンク２と共にポスト立設面１０５上に確実に組み付けることができる。また、ヒューズユニット１１０１は、バッテリー筐体１０１の側面側の周囲に当該ヒューズユニット１１０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【０１７２】
さらに、以上で説明したヒューズユニット１１０１は、プロテクタ３をポスト立設面１０５上に組み付けた後に、係止力調節機構１１０８によって係止爪部４２、１１４３による係止力を相対的に大きくすることで、プロテクタ３をヒュージブルリンク２と共にポスト立設面１０５上により確実に係止することができる。
【０１７３】
さらに、以上で説明したヒューズユニット１１０１によれば、係止爪部４２、１１４３は、プロテクタ３と一体で形成される第１係止爪部としての係止爪部４２と、プロテクタ３とは別体に形成されバッテリー筐体１０１において係止爪部４２が係合する面と対向する面に係合する第２係止爪部としての係止爪部１１４３とを含んで構成される。係止力調節機構１１０８は、係止爪部４２側又は係止爪部１１４３側の一方に形成された第１段差１１０８ａと、係止爪部４２側又は係止爪部１１４３側の他方に係止爪部４２と係止爪部１１４３とが対向する方向に沿って並んで形成される複数の第２段差１１０８ｂとを有し、第１段差１１０８ａと複数の第２段差１１０８ｂのいずれかとが噛み合うことで、係止爪部４２と係止爪部１１４３とが離間する側への移動を規制し、係止力を相対的に大きくする。したがって、ヒューズユニット１１０１は、係止力調節機構１１０８において、第１段差１１０８ａと複数の第２段差１１０８ｂのいずれかとが噛み合うことで、係止爪部４２と係止爪部１１４３とが離間する側への移動を規制することができることを利用して、係止爪部４２、１１４３がバッテリー筐体１０１の蓋部材１０４に係合する力を相対的に大きくし、係止爪部４２、１１４３によってプロテクタ３をポスト立設面１０５上に係止する係止力を相対的に大きくした上で、この状態を保持することができる。この結果、ヒューズユニット１１０１は、係止爪部４２、１１４３によってバッテリー筐体１０１の蓋部材１０４を締め付ける力（すなわち、係止力）を相対的に強くすることができるので、プロテクタ３をポスト立設面１０５上により確実に係止することができ、また、当該係止力調節機構１１０８の部分で公差も吸収することができる。
【０１７４】
［実施形態１２］
図４６は、実施形態１２に係るヒューズユニットのプロテクタの斜視図である。図４７は、実施形態１２に係るヒューズユニットのプロテクタ位置決め機構を含む部分断面斜視図である。実施形態１２に係るヒューズユニットは、保持機構位置決め機構を備える点で実施形態１とは異なる。その他、上述した実施形態と共通する構成、作用、効果については、重複した説明はできるだけ省略し、概略構成については、適宜他図を参照する。
【０１７５】
本実施形態に係るヒューズユニット１２０１は、図４６、図４７に示すように、上述したヒュージブルリンク２（図１等参照）と、保持機構としてのプロテクタ３と、係止機構４（図１等参照）と、連結バスバー５（図１等参照）とに加えて、さらに、保持機構位置決め機構としてのプロテクタ位置決め機構１２０９を備える。
【０１７６】
プロテクタ位置決め機構１２０９は、プロテクタ３をポスト立設面１０５上の所定の位置に位置決めするものである。プロテクタ位置決め機構１２０９は、ポスト立設面１０５又はプロテクタ３の一方に設けられる凹部１２０９ｂと、ポスト立設面１０５又はプロテクタ３の他方に設けられ凹部１２０９ｂと嵌合する凸部１２０９ａとを有する。ここでは、凸部１２０９ａは、プロテクタ３の保持部３２の底面３２ａの背面側（収容空間部３２ｃとは反対側の面）に２つが設けられる。凹部１２０９ｂは、ポスト立設面１０５において凹部１０６の長辺方向側の脇に２つ形成される（例えば、図２等参照）。凸部１２０９ａ、凹部１２０９ｂは、共に軸方向（鉛直方向）に沿って円柱状に形成される。
【０１７７】
プロテクタ位置決め機構１２０９は、各凸部１２０９ａが各凹部１２０９ｂに嵌合することで、プロテクタ３をポスト立設面１０５上の所定の位置に位置決めすることができ、これにより、プロテクタ３が鉛直方向（軸方向）と交差する水平方向（長辺方向及び短辺方向）に位置ズレすることを規制することができる。これにより、プロテクタ位置決め機構１２０９は、ベース部３１において、バッテリー端子１１０をバッテリーポスト１０２に締結可能な位置に位置決めする。ここで、ポスト立設面１０５上の所定の位置とは、ベース部３１のポスト挿入孔３１ａ内にバッテリーポスト１０２が挿入され、ベース部３１が凹部１０６内に位置するような位置関係でプロテクタ３がバッテリー１００に組み付けられた状態で、少なくとも保持部３２の一部がポスト立設面１０５上に位置し、当該ポスト立設面１０５上にヒュージブルリンク２を載置し、保持する位置である。
【０１７８】
以上で説明したヒューズユニット１２０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１２０１からバッテリー端子１１０に作用する荷重を抑制することができるので、バッテリーポスト１０２に作用する荷重を抑制することができる。このとき、ヒューズユニット１２０１は、係止機構４によって、プロテクタ３をヒュージブルリンク２と共にポスト立設面１０５上に確実に組み付けることができる。また、ヒューズユニット１２０１は、バッテリー筐体１０１の側面側の周囲に当該ヒューズユニット１２０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【０１７９】
さらに、以上で説明したヒューズユニット１２０１によれば、ポスト立設面１０５又はプロテクタ３の一方に設けられる凹部１２０９ｂと、ポスト立設面１０５又はプロテクタ３の他方に設けられ凹部１２０９ｂと嵌合する凸部１２０９ａとを有し、プロテクタ３をポスト立設面１０５上に位置決めするプロテクタ位置決め機構１２０９を備える。したがって、ヒューズユニット１２０１は、プロテクタ位置決め機構１２０９の凸部１２０９ａが凹部１２０９ｂと嵌合することで、プロテクタ３をポスト立設面１０５上の適正な位置に位置決めすることができ、位置ズレすることを抑制することができる。
【０１８０】
なお、以上の説明では、凸部１２０９ａは、プロテクタ３側に設けられ、凹部１２０９ｂは、ポスト立設面１０５側に設けられるものとして説明したが、凸部１２０９ａがポスト立設面１０５側に設けられ、凹部１２０９ｂがプロテクタ３側に設けられてもよい。また、凸部１２０９ａ、凹部１２０９ｂは、それぞれ２つずつ設けられるものとして説明したが、１つずつでもよいし、３つ以上ずつ設けられてもよい。
【０１８１】
また、以上で説明したプロテクタ位置決め機構１２０９を上述したヒューズユニット２０１に適用してもよい。この場合であっても、ヒューズユニット２０１は、プロテクタ３をポスト立設面１０５上の適正な位置に位置決めすることができ、位置ズレすることを抑制することができる。
【０１８２】
なお、上述した本発明の実施形態に係るヒューズユニットは、上述した実施形態に限定されず、特許請求の範囲に記載された範囲で種々の変更が可能である。本実施形態に係るヒューズユニットは、以上で説明した各実施形態、変形例の構成要素を適宜組み合わせることで構成してもよい。
【０１８３】
以上の説明では、ヒュージブルリンク２は、ヒューズエレメント２１、スタッドボルト２２がインサート成形等によってハウジング２３内に埋設され一体化されるものとして説明したがこれに限らない。
【０１８４】
以上の説明では、プロテクタ３の保持部３２は、長辺方向に対してベース部３１と隣接するようにして当該ベース部３１と一体で形成されるものとして説明したが、これに限らず、短辺方向に対してベース部３１と隣接するようにして当該ベース部３１と一体で形成されてもよい。
【０１８５】
また、以上で説明したヒューズユニットは、ポスト立設面１０５に凹部１０６が形成されたバッテリー１００に適用するものとして説明したが、これに限らず、凹部１０６を有さないポスト立設面１０５が平面状のバッテリーに適用してもよい。この場合、ヒューズユニットは、上述したベース部３１、保持部３２、連結バスバー５等は略平面状に形成されることとなる。
【符号の説明】
【０１８６】
１、２０１、３０１、３０１Ａ、４０１、４０１Ａ、５０１、５０１Ａ、６０１、７０１、８０１、９０１、１００１、１１０１、１２０１    ヒューズユニット
２    ヒュージブルリンク
３    プロテクタ（保持機構）
４、５０４、７０４、１１０４    係止機構
５    連結バスバー
２１    ヒューズエレメント
２１ｃ    可溶体
３１    ベース部
３２    保持部
４１、４２、１１４３    係止爪部
１００    バッテリー
１０１    バッテリー筐体
１０２    バッテリーポスト
１０５    ポスト立設面
１０８    据付トレイ（被連結部材）
１１０    バッテリー端子
２３３    装着部
３０８、４０８、６０８、７０８、８０８、９０８、１００８、１１０８    係止力調節機構
３０８ａ、４０８ａ、１１０８ａ    第１段差
３０８ｂ、４０８ｂ、１１０８ｂ    第２段差
５４１、５４２    連結体
６０８ａ    楔部材
８０８ａ    螺合部材
９０８ａ    連結部材
１００８ａ    扁平レバー
１２０９    プロテクタ位置決め機構（保持機構位置決め機構）
１２０９ａ    凸部
１２０９ｂ    凹部
【図１】
2016131097.tif 000003
【図２】
2016131097.tif 000004
【図３】
2016131097.tif 000005
【図４】
2016131097.tif 000006
【図５】
2016131097.tif 000007
【図６】
2016131097.tif 000008
【図７】
2016131097.tif 000009
【図８】
2016131097.tif 000010
【図９】
2016131097.tif 000011
【図１０】
2016131097.tif 000012
【図１１】
2016131097.tif 000013
【図１２】
2016131097.tif 000014
【図１３】
2016131097.tif 000015
【図１４】
2016131097.tif 000016
【図１５】
2016131097.tif 000017
【図１６】
2016131097.tif 000018
【図１７】
2016131097.tif 000019
【図１８】
2016131097.tif 000020
【図１９】
2016131097.tif 000021
【図２０】
2016131097.tif 000022
【図２１】
2016131097.tif 000023
【図２２】
2016131097.tif 000024
【図２３】
2016131097.tif 000025
【図２４】
2016131097.tif 000026
【図２５】
2016131097.tif 000027
【図２６】
2016131097.tif 000028
【図２７】
2016131097.tif 000029
【図２８】
2016131097.tif 000030
【図２９】
2016131097.tif 000031
【図３０】
2016131097.tif 000032
【図３１】
2016131097.tif 000033
【図３２】
2016131097.tif 000034
【図３３】
2016131097.tif 000035
【図３４】
2016131097.tif 000036
【図３５】
2016131097.tif 000037
【図３６】
2016131097.tif 000038
【図３７】
2016131097.tif 000039
【図３８】
2016131097.tif 000040
【図３９】
2016131097.tif 000041
【図４０】
2016131097.tif 000042
【図４１】
2016131097.tif 000043
【図４２】
2016131097.tif 000044
【図４３】
2016131097.tif 000045
【図４４】
2016131097.tif 000046
【図４５】
2016131097.tif 000047
【図４６】
2016131097.tif 000048
【図４７】
2016131097.tif 000049